(57)【特許請求の範囲】
【請求項１】
利用者を被写体として撮影し撮影画像を得る撮影手段と、前記撮影手段で得られた撮影画像に合成させる合成用画像を表示する表示手段と、前記表示手段に表示された合成用画像を前記撮影画像に合成させる指示である合成用画像合成指示に基づいて、前記合成用画像を前記撮影画像に合成し合成画像を作成する合成処理手段と、前記合成処理手段により作成された少なくとも１つの合成画像を所定のシールシートに印刷する印刷手段とを備える写真シール作成装置であって、
前記表示手段の１画面に表示される複数の前記合成画像に対して、前記合成画像ごとに、その合成画像の外縁の前記合成画像の領域外の領域である外縁領域に合成する縁画像のサンプルとしての画像であるサンプル画像を前記表示手段の前記１画面に表示させるサンプル画像表示制御手段と、
前記合成画像ごとに、前記表示手段に表示されたサンプル画像に対応する縁画像を前記合成画像の前記外縁領域に合成させる指示である縁画像合成指示を受け付ける縁画像合成指示受付手段と、
前記合成画像ごとに、前記縁画像合成指示に応じて、その合成画像の前記外縁領域に合成する縁画像を設定する設定手段と、
前記合成画像ごとに、前記設定手段により設定された縁画像を、前記合成画像の前記外縁領域に合成する縁画像合成手段と
を備え、
前記印刷手段は、前記縁画像が合成された前記複数の合成画像を前記シールシートに印刷する
写真シール作成装置。
【請求項２】
前記合成用画像ごとに、各サンプル画像に対応する縁画像に対する優先順位が決定されており、
前記サンプル画像表示制御手段は、前記合成画像ごとに、その合成画像に合成されている合成用画像における前記優先順位が上から所定数番目までの縁画像に対応するサンプル画像を、前記表示手段に表示させる
請求項１に記載の写真シール作成装置。
【請求項３】
前記サンプル画像表示制御手段は、前記サンプル画像とともに、そのサンプル画像に対応する縁画像に対する、前記合成画像に合成されている合成用画像における前記優先順位を前記表示手段に表示させる
請求項２に記載の写真シール作成装置。
【請求項４】
前記合成用画像ごとに、各サンプル画像に対応する縁画像に対する優先順位が決定されており、
前記サンプル画像表示制御手段は、前記サンプル画像とともに、そのサンプル画像に対応する縁画像に対する、前記合成画像に合成されている合成用画像における前記優先順位を前記表示手段に表示させる
請求項１に記載の写真シール作成装置。
【請求項５】
前記印刷手段は、複数の前記シールシートを印刷し、
前記縁画像合成指示受付手段は、前記シールシートごとに前記合成画像ごとの前記縁画像合成指示を受け付け、
前記設定手段は、前記シールシートごとに、前記合成画像ごとの前記縁画像合成指示に応じて、前記合成画像の前記外縁領域に合成する前記縁画像を設定する
請求項１乃至４のいずれかに記載の写真シール作成装置。
【請求項６】
前記印刷手段はまた、前記シールシートの前記縁画像の印刷領域に、前記撮影手段による撮影に関する情報である撮影情報を印字する
請求項１乃至５のいずれかに記載の写真シール作成装置。
【請求項７】
前記印刷手段は、前記シールシートに印刷される前記合成画像の向きに応じて、前記撮影情報の印字位置を変更する
請求項６に記載の写真シール作成装置。
【請求項８】
前記合成画像を前記表示手段に表示させる合成画像表示制御手段と、
前記表示手段に表示された合成画像のうち、前記シールシートに印刷する前記複数の合成画像を選択する指示である合成画像選択指示を受け付ける合成画像選択指示受付手段と
をさらに備え、
前記縁画像合成手段は、前記合成画像選択指示に基づいて、選択された前記複数の合成画像の前記外縁領域に前記縁画像を合成し、
前記印刷手段は、前記合成画像選択指示に基づいて、選択されていない前記合成画像を、前記シールシート内の前記縁画像が合成された前記複数の合成画像が印刷されない余白領域に印刷するとともに、その選択されていない前記合成画像の印刷領域付近に前記撮影情報を印字する
請求項６または７のいずれかに記載の写真シール作成装置。
【請求項９】
前記印刷手段は、選択されていない前記合成画像の向きに応じて、その選択されていない前記合成画像の印刷領域付近に印字する前記撮影情報の表示方法を変更する
請求項８に記載の写真シール作成装置。
【請求項１０】
利用者を被写体として撮影し撮影画像を得る撮影手段と、前記撮影手段で得られた撮影画像に合成させる合成用画像を表示する表示手段と、前記表示手段に表示された合成用画像を前記撮影画像に合成させる指示である合成用画像合成指示に基づいて、前記合成用画像を前記撮影画像に合成し合成画像を作成する合成処理手段と、前記合成処理手段により作成された少なくとも１つの合成画像を所定のシールシートに印刷する印刷手段とを備える写真シール作成装置の写真シール作成方法であって、
前記表示手段の１画面に表示される複数の前記合成画像に対して、前記合成画像ごとに、その合成画像の外縁の前記合成画像の領域外の領域である外縁領域に合成する縁画像のサンプルとしての画像であるサンプル画像を前記表示手段の前記１画面に表示させ、
前記合成画像ごとに、前記表示手段に表示されたサンプル画像に対応する縁画像を前記合成画像の前記外縁領域に合成させる指示である縁画像合成指示を受け付け、
前記合成画像ごとに、前記縁画像合成指示に応じて、その合成画像の前記外縁領域に合成する縁画像を設定し、
前記合成画像ごとに設定された縁画像を、その合成画像の前記外縁領域に合成し、
前記縁画像が合成された前記複数の合成画像を前記シールシートに印刷する
ステップを含む写真シール作成方法。
【請求項１１】
利用者を被写体として撮影し撮影画像を得る撮影手段と、前記撮影手段で得られた撮影画像に合成させる合成用画像を表示する表示手段と、前記表示手段に表示された合成用画像を前記撮影画像に合成させる指示である合成用画像合成指示に基づいて、前記合成用画像を前記撮影画像に合成し合成画像を作成する合成処理手段と、前記合成処理手段により作成された少なくとも１つの合成画像を所定のシールシートに印刷する印刷手段とを備える写真シール作成装置を制御するコンピュータが実行可能なプログラムであって、
前記表示手段の１画面に表示される複数の前記合成画像に対して、前記合成画像ごとに、その合成画像の外縁の前記合成画像の領域外の領域である外縁領域に合成する縁画像のサンプルとしての画像であるサンプル画像を前記表示手段の前記１画面に表示させ、
前記合成画像ごとに、前記表示手段に表示されたサンプル画像に対応する縁画像を前記合成画像の前記外縁領域に合成させる指示である縁画像合成指示を受け付け、
前記合成画像ごとに、前記縁画像合成指示に応じて、その合成画像の前記外縁領域に合成する縁画像を設定し、
前記合成画像ごとに設定された縁画像を、その合成画像の前記外縁領域に合成し、
前記縁画像が合成された前記複数の合成画像を前記シールシートに印刷させる
ステップを含む処理をコンピュータに実行させるプログラム。
【発明の詳細な説明】
【技術分野】
【０００１】
本発明は、写真シール作成装置および写真シール作成方法、並びに、プログラムに関し、特に、印刷画像と、その印刷画像の縁画像に統一感のある写真シールを作成することができるようにし、作成された写真シールに対する利用者の満足度を向上させ、収益性を向上させることができるようにした写真シール作成装置および写真シール作成方法、並びに、プログラムに関する。
【背景技術】
【０００２】
従来、利用者を被写体として撮影し、得られた撮影画像を予め用意されたスタンプ画像や手書きの線画像からなる落書き入力画像と合成する編集処理を行い、編集処理が施された編集済み画像または撮影画像そのものを印刷画像としてシール紙に印刷し、写真シールとして利用者に提供する写真シール機が知られている。
【０００３】
この写真シール機は、例えば、ゲームセンタ等の娯楽（遊戯）施設に設置され、女子高校生や女子中学生等を中心とする利用者に有料でサービスを提供する。利用者は、写真シールの作成作業をゲームとして楽しむだけでなく、出力された写真シールを仲間同士で分け合って、それぞれの所持品に貼り付けたり、多数の写真シールを収集して「プリ帳」といわれる台帳などに貼り付けてアルバム感覚で所持し、プリ帳に貼り付けられた写真シールの自分達の写り具合や編集内容を再度見返したりしている。
【０００４】
そして、写り具合や編集内容の良い画像であれば、大きいサイズでシール紙に印刷し、その結果得られる写真シールをプリ帳の表紙に貼り付けて、友達とは違う自分だけの個性的なプリ帳を作成したいという要望があった。
【０００５】
ところで、従来の写真プリントサービス業界では、写真を作成する際に、縁を付けて写真を作成するか、縁を付けずに写真を作成するかを選択可能なサービスを提供している。
【０００６】
これに対して、従来の写真シール機は、写真シール内の編集済み画像の印刷領域を分割し、分割された各領域に、編集済み画像のうちの印刷対象とする画像である印刷画像を、縁を付けずに印刷する（例えば、特許文献１参照）。具体的には、写真シール機は、分割サイズの異なる印刷画像のレイアウトパターンを、複数種類（例えば、２分割タイプ、４分割タイプ、８分割タイプなど）用意しており、利用者は、その中から所望のレイアウトパターンを選択することにより、所望のサイズの印刷画像が印刷された写真シールを作成する。
【０００７】
また、写真シール機には、写真シール内の印刷画像の印刷領域の外側に余白領域を設け、その余白領域に、印刷画像として選択されなかった編集済み画像または撮影画像を「おまけ画像」として印刷したり、写真シール機で遊んだ日付や写真シール機の撮影コースの名称などを撮影コースに応じた色で印字したり、編集処理時に入力された利用者の好きな言葉やメッセージの落書き入力画像を印刷したりするものがある。
【０００８】
【特許文献１】特開２００６−０５００６４号公報
【発明の開示】
【発明が解決しようとする課題】
【０００９】
しかしながら、写真シール機において、写真のように印刷画像ごとに縁を付け、縁付きの印刷画像をシール紙に印刷することは考えられていなかった。また、写真に縁が付けられる場合、写真の周囲に何もプリントされない領域が縁として設けられるだけであり、その縁の色は写真用紙自体の色(通常、白色)である。
【００１０】
従って、写真シール機において、写真と同様の方法で印刷画像に縁を付けると、印刷画像に写真シール自体の色の縁が付けられることになり、印刷画像の縁の色に統一感のない、違和感のある写真シールが作成されてしまうことがある。その結果、写真シール機を利用して、手軽に遊び感覚で、縁の付いた記念写真のような写真シールを作成したい利用者にとって、満足のいく写真シールを提供することができない恐れがあった。
【００１１】
利用者の満足度の低下は収益性の低下に繋がる恐れがあり、利用者の満足度を向上させることは、写真シール機を製造販売するために重要である。
【００１２】
本発明は、このような状況に鑑みてなされたものであり、印刷画像と、その印刷画像の縁画像に統一感のある写真シールを作成することができるようにし、作成された写真シールに対する利用者の満足度を向上させ、収益性を向上させることができるようにするものである。
【課題を解決するための手段】
【００１３】
本発明の一側面は、利用者を被写体として撮影し撮影画像を得る撮影手段と、前記撮影手段で得られた撮影画像に合成させる合成用画像を表示する表示手段と、前記表示手段に表示された合成用画像を前記撮影画像に合成させる指示である合成用画像合成指示に基づいて、前記合成用画像を前記撮影画像に合成し合成画像を作成する合成処理手段と、前記合成処理手段により作成された少なくとも１つの合成画像を所定のシールシートに印刷する印刷手段とを備える写真シール作成装置であって、前記表示手段の１画面に表示される複数の前記合成画像に対して、前記合成画像ごとに、その合成画像の外縁の前記合成画像の領域外の領域である外縁領域に合成する縁画像のサンプルとしての画像であるサンプル画像を前記表示手段の前記１画面に表示させるサンプル画像表示制御手段と、前記合成画像ごとに、前記表示手段に表示されたサンプル画像に対応する縁画像を前記合成画像の前記外縁領域に合成させる指示である縁画像合成指示を受け付ける縁画像合成指示受付手段と、前記合成画像ごとに、前記縁画像合成指示に応じて、その合成画像の前記外縁領域に合成する縁画像を設定する設定手段と、前記合成画像ごとに、前記設定手段により設定された縁画像を、前記合成画像の前記外縁領域に合成する縁画像合成手段とを備え、前記印刷手段は、前記縁画像が合成された前記複数の合成画像を前記シールシートに印刷する写真シール作成装置である。
【００１４】
この写真シール作成装置の、撮影手段は、例えば、カメラにより構成され、表示手段は、例えば、表示部、編集用モニタにより構成され、合成処理手段は、例えば、撮影処理部により構成され、印刷手段は、例えば、印刷処理部により構成される。また、サンプル画像表示制御手段は、例えば、サンプル画像表示制御部により構成され、縁画像合成指示受付手段は、例えば、合成指示受付部により構成される。設定手段は、例えば設定部により構成され、縁画像合成手段は、例えば、縁画像合成部により構成される。
【００１５】
本発明の写真シール作成装置においては、表示手段の１画面に表示される複数の合成画像に対して、合成画像ごとに、その合成画像の外縁の合成画像の領域外の領域である外縁領域に合成する縁画像のサンプルとしての画像であるサンプル画像が表示手段の１画面に表示され、合成画像ごとに、表示手段に表示されたサンプル画像に対応する縁画像を合成画像の外縁領域に合成させる指示である縁画像合成指示が受け付けられ、合成画像ごとに、縁画像合成指示に応じて、その合成画像の外縁領域に合成する縁画像が設定され、合成画像ごとに、設定された縁画像が、合成画像の外縁領域に合成され、縁画像が合成された複数の合成画像がシールシートに印刷される。
【００１６】
写真シール作成装置は、表示手段の１画面に表示される複数の合成画像に対して、合成画像ごとに、その合成画像の外縁の合成画像の領域外の領域である外縁領域に合成する縁画像のサンプルとしての画像であるサンプル画像を表示手段の１画面に表示させ、合成画像ごとに、表示手段に表示されたサンプル画像に対応する縁画像を合成画像の外縁領域に合成させる指示である縁画像合成指示を受け付け、合成画像ごとに、縁画像合成指示に応じて、その合成画像の外縁領域に合成する縁画像を設定し、合成画像ごとに、設定手段により設定された縁画像を、合成画像の外縁領域に合成し、縁画像が合成された複数の合成画像をシールシートに印刷する。従って、利用者は、合成画像と統一感のあるサンプル画像を選択することにより、印刷画像と、その印刷画像の縁画像に統一感のある写真シールを作成することができる。その結果、作成された写真シールに対する利用者の満足度を向上させ、収益性を向上させることができる。
【００２０】
前記合成用画像ごとに、各サンプル画像に対応する縁画像に対する優先順位が決定されており、前記サンプル画像表示制御手段は、前記合成画像ごとに、その合成画像に合成されている合成用画像における前記優先順位が上から所定数番目までの縁画像に対応するサンプル画像を、前記表示手段に表示させることができる。
【００２１】
つまり、合成画像に合成されている合成用画像における優先順位の高い縁画像に対応する所定数のサンプル画像のみが表示手段に表示されるようにする。これにより、利用者は、所望の縁画像に対応するサンプル画像を短時間で選択することができる。
【００２２】
前記サンプル画像表示制御手段は、前記サンプル画像とともに、そのサンプル画像に対応する縁画像に対する、前記合成画像に合成されている合成用画像における前記優先順位を前記表示手段に表示させることができる。
【００２３】
つまり、合成画像に合成されている合成用画像における優先順位の高い縁画像に対応する所定数のサンプル画像とともに、そのサンプル画像に対応する縁画像に対する優先順位が表示手段に表示されるようにする。従って、利用者は、サンプル画像とともに表示される優先順位に基づいて、合成画像と統一感のある縁画像に対応するサンプル画像を容易に選択することができる。
【００２７】
前記合成用画像ごとに、各サンプル画像に対応する縁画像に対する優先順位が決定されており、前記サンプル画像表示制御手段は、前記サンプル画像とともに、そのサンプル画像に対応する縁画像に対する、前記合成画像に合成されている合成用画像における前記優先順位を前記表示手段に表示させることができる。
【００２８】
つまり、サンプル画像とともに、そのサンプル画像に対応する縁画像に対する、合成画像に合成されている合成用画像における優先順位が表示手段に表示されるようにする。従って、利用者は、サンプル画像とともに表示される優先順位に基づいて、合成画像と統一感のある縁画像に対応するサンプル画像を容易に選択することができる。
【００２９】
前記印刷手段は、複数の前記シールシートを印刷し、前記縁画像合成指示受付手段は、前記シールシートごとに前記合成画像ごとの前記縁画像合成指示を受け付け、前記設定手段は、前記シールシートごとに、前記合成画像ごとの前記縁画像合成指示に応じて、前記合成画像の前記外縁領域に合成する前記縁画像を設定することができる。
【００３０】
例えば、複数の写真シールを作成する場合、写真シールごとに、利用者が、表示手段に表示されているサンプル画像のうちの所望のサンプル画像を合成画像ごとに選択し、合成画像ごとに、選択されたサンプル画像に対応する縁画像を合成画像に合成させる指示である縁画像合成指示が受け付けられ、そのサンプル画像に対応する縁画像が合成画像の外縁領域に合成する縁画像として設定される。この場合、複数の写真シールが作成されるので、複数の利用者が写真シール作成装置を利用する場合であっても、各利用者が写真シールを得ることができ、その結果、利用者の満足度が向上する。また、写真シールごとに、縁画像が設定されるので、利用者は雰囲気の異なる写真シールを複数枚得ることができ、その結果、利用者の満足度が向上する。
【００３３】
前記印刷手段はまた、前記シールシートの前記縁画像の印刷領域に、前記撮影手段による撮影に関する情報である撮影情報を印字することができる。
【００３４】
例えば、シールシートに印刷される縁画像に撮影情報としての撮影日が印字される。これにより、利用者は、写真シールを印刷画像ごとに切り分けた場合であっても、その印刷画像の撮影日を把握することができる。
【００３５】
前記印刷手段は、前記シールシートに印刷される前記合成画像の向きに応じて、前記撮影情報の印字位置を変更することができる。
【００３６】
これにより、例えば、シールシートに印刷される合成画像の向きによらず、その合成画像に対する撮影情報の印字位置を同一にすることができる。
【００３７】
前記合成画像を前記表示手段に表示させる合成画像表示制御手段と、前記表示手段に表示された合成画像のうち、前記シールシートに印刷する前記複数の合成画像を選択する指示である合成画像選択指示を受け付ける合成画像選択指示受付手段とをさらに備え、前記縁画像合成手段は、前記合成画像選択指示に基づいて、選択された前記複数の合成画像の前記外縁領域に前記縁画像を合成し、前記印刷手段は、前記合成画像選択指示に基づいて、選択されていない前記合成画像を、前記シールシート内の前記縁画像が合成された前記複数の合成画像が印刷されない余白領域に印刷するとともに、その選択されていない前記合成画像の印刷領域付近に前記撮影情報を印字することができる。
【００３８】
例えば、利用者が、表示手段に表示されている合成画像のうち、シールシートに印刷する複数の合成画像を選択すると、合成画像選択指示が受け付けられ、選択された複数の合成画像の外縁領域に縁画像が合成される。そして、シールシートに縁画像が合成された複数の合成画像が印刷されるとともに、シールシート内の縁画像が合成された複数の合成画像が印刷されない余白領域に、印刷する画像として選択されていない合成画像が印刷され、その合成画像の印刷領域付近に撮影情報が印字される。
【００３９】
これにより、利用者は、シールシートに印刷する複数の合成画像として選択していない合成画像の写真シールもおまけとして得ることができ、利用者の満足度は向上する。また、余白領域に印刷された合成画像の印刷領域付近に撮影情報が印字されるので、利用者は、写真シールを余白領域に印刷されている画像ごとに切り分けた場合であっても、その画像の撮影日を把握することができる。
【００４０】
前記印刷手段は、選択されていない前記合成画像の向きに応じて、その選択されていない前記合成画像の印刷領域付近に印字する前記撮影情報の表示方法を変更することができる。
【００４１】
これにより、例えば、シールシートの余白領域に印刷される合成画像の向きによらず、その合成画像に対する撮影情報の印字位置を同一にすることができる。
【００４２】
本発明の一側面は、また利用者を被写体として撮影し撮影画像を得る撮影手段と、前記撮影手段で得られた撮影画像に合成させる合成用画像を表示する表示手段と、前記表示手段に表示された合成用画像を前記撮影画像に合成させる指示である合成用画像合成指示に基づいて、前記合成用画像を前記撮影画像に合成し合成画像を作成する合成処理手段と、前記合成処理手段により作成された少なくとも１つの合成画像を所定のシールシートに印刷する印刷手段とを備える写真シール作成装置の写真シール作成方法であって、前記表示手段の１画面に表示される複数の前記合成画像に対して、前記合成画像ごとに、その合成画像の外縁の前記合成画像の領域外の領域である外縁領域に合成する縁画像のサンプルとしての画像であるサンプル画像を前記表示手段の前記１画面に表示させ、前記合成画像ごとに、前記表示手段に表示されたサンプル画像に対応する縁画像を前記合成画像の前記外縁領域に合成させる指示である縁画像合成指示を受け付け、前記合成画像ごとに、前記縁画像合成指示に応じて、その合成画像の前記外縁領域に合成する縁画像を設定し、前記合成画像ごとに設定された縁画像を、その合成画像の前記外縁領域に合成し、前記縁画像が合成された前記複数の合成画像を前記シールシートに印刷するステップを含む写真シール作成方法である。
【００４３】
本発明の写真シール作成方法においては、表示手段の１画面に表示される複数の合成画像に対して、合成画像ごとに、その合成画像の外縁の合成画像の領域外の領域である外縁領域に合成する縁画像のサンプルとしての画像であるサンプル画像が表示手段の１画面に表示され、合成画像ごとに、表示手段に表示されたサンプル画像に対応する縁画像を合成画像の外縁領域に合成させる指示である縁画像合成指示が受け付けられ、合成画像ごとに、縁画像合成指示に応じて、その合成画像の外縁領域に合成する縁画像が設定され、合成画像ごとに、設定された縁画像が、合成画像の外縁領域に合成され、縁画像が合成された複数の合成画像がシールシートに印刷される。
【００４４】
本発明の第１の側面は、さらに、利用者を被写体として撮影し撮影画像を得る撮影手段と、前記撮影手段で得られた撮影画像に合成させる合成用画像を表示する表示手段と、前記表示手段に表示された合成用画像を前記撮影画像に合成させる指示である合成用画像合成指示に基づいて、前記合成用画像を前記撮影画像に合成し合成画像を作成する合成処理手段と、前記合成処理手段により作成された少なくとも１つの合成画像を所定のシールシートに印刷する印刷手段とを備える写真シール作成装置を制御するコンピュータが実行可能なプログラムであって、前記表示手段の１画面に表示される複数の前記合成画像に対して、前記合成画像ごとに、その合成画像の外縁の前記合成画像の領域外の領域である外縁領域に合成する縁画像のサンプルとしての画像であるサンプル画像を前記表示手段の前記１画面に表示させ、前記合成画像ごとに、前記表示手段に表示されたサンプル画像に対応する縁画像を前記合成画像の前記外縁領域に合成させる指示である縁画像合成指示を受け付け、前記合成画像ごとに、前記縁画像合成指示に応じて、その合成画像の前記外縁領域に合成する縁画像を設定し、前記合成画像ごとに設定された縁画像を、その合成画像の前記外縁領域に合成し、前記縁画像が合成された前記複数の合成画像を前記シールシートに印刷させるステップを含む処理をコンピュータに実行させるプログラムである。
【００４５】
本発明のプログラムは、所定の記録媒体に記録されて、例えば、ドライブにより読み出され、写真シール作成装置にインストールされる。記録媒体は、フロッピ（登録商標）ディスクなどよりなる磁気ディスク、CD-ROM(Compact Disc Read Only Memory)、DVD-ROM(Digital Versatile Disc)などよりなる光ディスク、MD(Mini Disc)（登録商標）などよりなる光磁気ディスク、または半導体メモリなどのリムーバブルメディアにより構成される。
【発明の効果】
【００４６】
本発明によれば、印刷画像と、その印刷画像の縁画像に統一感のある写真シールを作成することができる。これにより、作成された写真シールに対する利用者の満足度を向上させ、収益性を向上させることができる。
【発明を実施するための最良の形態】
【００４７】
図１は、本発明を適用した写真シール作成装置の一実施の形態の例を示す図である。
【００４８】
図１の写真シール作成装置１は、撮影や編集等の作業の娯楽性を高め、それらの作業を利用者にゲーム（遊戯サービス）として行わせ、撮影画像や編集済み画像を、写真シールやデータとして利用者に提供する代わりに、利用者より代金を受け取るゲーム装置（遊戯サービス提供装置）である。
【００４９】
この写真シール作成装置１が実行する写真シール作成ゲームにおいて、利用者は、ゲームの代金を投入し、写真シール作成装置１に設けられたカメラを用いて自分自身等を撮影し、その撮影画像に対して合成用画像（詳細は後述する）を合成したり、ペン入力やスタンプ入力等の落書き編集ツールを用いて編集を行ったりして、撮影画像を彩り豊かなものにデザインする。そしてゲーム終了後、利用者は、編集済み画像が印刷された１枚の写真シール(以下、適宜、通常写真シールという)を成果物として受け取る。
【００５０】
また、利用者は、編集作業中に、追加印刷用の代金を新たに投入することにより、ゲーム終了後に、通常写真シール以外に、編集済み画像または撮影画像が印刷された新たな写真シール（以下、適宜、追加写真シールという）を受け取ることもできる。なお、合成用画像とは、撮影画像の予め定められた位置に合成される画像であり、被写体の前景または背景となって撮影画像を装飾する画像を指す。
【００５１】
このような写真シール作成装置１は、通常、ゲームセンタや観光地の店舗等に設置される。つまり、写真シール作成装置１は、例えば、メーカや販売会社などから、それらの店舗の経営者に販売される。写真シール作成装置１を購入した経営者は、店舗（例えばゲームセンタ）にその写真シール作成装置１を設置して管理・運営し、女子高校生や女子中学生に代表される一般の利用者に写真シール作成ゲームを有料でプレイさせ、その代金により収益を上げる。
【００５２】
従って、店舗の経営者にとって、写真シール作成装置１の収益率の高さが重要となる。つまり、写真シール作成装置１は、単位時間当たりの収益率が高い方が望ましい。また、通常の店舗の場合、床面積や構造等の制限により、写真シール作成装置１の設置場所が限定される。従って、写真シール作成装置１は、単位床面積当たりの収益率が高い方が望ましい。さらに、各店舗の広さや形状は通常同じでなく、かつ、写真シール作成装置１とともに設置される他のゲーム機等も異なるため、設置場所の自由度が高いほど望ましい。
【００５３】
収益率を向上させる方法として、例えば、写真シール作成ゲームの回転率を向上させる方法がある。つまり、所定の時間内にプレイされるゲーム数を増加させることにより単位時間当たりの収益率を増加させる方法である。しかしながら、写真シール作成ゲームをプレイする利用者がいなければ収益率は向上しない。従って、写真シール作成装置１の写真シール作成ゲームに対する、利用者の期待度や満足度を向上させることも重要となる。
【００５４】
例えば、写真シール作成装置１は、ゲームをプレイしたことのない利用者が「プレイしてみたい」と思うような期待度の高い機能を設けることにより利用者数を増加させることができる。また、一度プレイした利用者が「楽しかった、もう一度プレイしたい」と思うような満足度の高い機能を設けることにより、写真シール作成装置１は、いわゆるリピータを増加させ、利用者数をさらに増加させることができる。その結果、写真シール作成装置１の収益が向上する。
【００５５】
利用者にとって、写真シール作成装置１には、大きく分けて、写真シール作成ゲームをプレイすること（写真シールの作成作業）と、成果物として写真シール用画像や写真シールを得ること（完成した写真シールそのもの）の２つの娯楽性がある。
【００５６】
前者の、写真シール作成作業の娯楽性を向上させる方法としては、例えば、撮影機能や、落書き編集等の編集機能の多機能化、操作性の向上、またはプレイ時間や待ち時間の調整等がある。後者の、完成した写真シールそのものの娯楽性を向上させる方法としては、例えば、シール紙の品質向上、高画質印刷、および特殊色印刷等のようなハードウェアの向上や、写真シールの画像に対する利用者の満足度を向上させることなどがある。
【００５７】
また、主な利用者層である女子高校生や女子中学生は、得られた写真シールを所有物に貼り付けるだけでなく、その写真シールを交換したり、その写真シールを話題にして会話を行ったりする。従って、例えば、写真シールの画像内容が、派手だったり、面白かったり、希少性が高かったり、目新しさがあったりする場合、その写真シールを利用者自身が気に入ることもあるが、それだけでなく、その写真シールを話題として会話が盛り上がることも考えられる。
【００５８】
また、このような写真シールの利用により、写真シール自体が写真シール作成装置１の広告としての役割も果たすこともある。従って、写真シールの娯楽性を向上させることは、単にその利用者の満足度を向上させるだけでなく、他者の期待度を向上させ、評判の広がりによる集客、即ち、いわゆる口コミによる新規利用者を増やすことも期待することができる。
【００５９】
つまり、写真シール作成ゲームにおいて、利用者らが気に入るような画像を作成することができる機能を提供することにより、利用者の写真シール作成ゲームに対する満足度だけでなく、写真シールに対する満足度も向上させることができ、さらに、写真シールの話題性や広告効果等も同時に向上させることができる。
【００６０】
写真シール作成装置１は、このような特徴を有するが、その筐体１０は、図１に示すように、撮影ユニット１１、編集ユニット１２、および天井ストロボユニット１３の４つのユニットに大きく分けられる。
【００６１】
撮影ユニット１１は、写真シール作成ゲームの受け付けを行い、利用者等を被写体として撮影する機能を有しており、後述する内部の撮影空間において被写体の撮影が行われる。この撮影ユニット１１は、大きく、前方ユニット１１Ａと後方ユニット１１Ｂの２つに分けられる。
【００６２】
前方ユニット１１Ａは、撮影空間の前方とされる側のユニットであり、撮影空間の利用者の撮影に関する処理を行ったり、利用者の写真シール作成ゲームに関する操作を受け付けたりする。後方ユニット１１Ｂは、撮影空間の後方とされる側のユニットであり、前方ユニット１１Ａによる利用者の撮影の際に、背景の役割を果たすユニットである。この後方ユニット１１Ｂの内部は、空洞（空間）となっており、利用者が撮影を行う際に利用される撮影空間の一部として構成される。この後方ユニット１１Ｂの内部には、例えば、背景に利用する可動式のカーテンである背景カーテンや利用者がポーズをとるために利用するステージ等が設けられるようにしてもよい。
【００６３】
編集ユニット１２は、利用者が撮影画像に対する落書き編集等を行うための構成（例えば、モニタ、タッチパネル、およびタッチペン等）が設けられている。後述するように１つの筺体からなる編集ユニット１２は、２組の利用者が同時に編集作業を行うことができるように、２つの面のそれぞれに、落書き編集等を行うための構成が設けられている。後述するように、写真シール作成装置１は、複数の写真シール作成ゲームを並列的に実行することができる。換言すれば、複数組の利用者が、同時に写真シール作成装置１において写真シール作成ゲームをプレイすることができる。編集ユニット１２は、写真シール作成ゲームのプレイの回転率を向上させるために、それらの複数組の利用者が同時に落書き編集を行うことができるように、２つの落書き編集等を行うための構成が設けられている。
【００６４】
撮影空間の上方に設けられる天井ストロボユニット１３は、撮影タイミングに合わせて撮影空間内に向けてストロボ発光するフラッシュを内蔵する。この天井ストロボユニット１３は、さらに内部に蛍光灯が配置されており、撮影空間（撮影空間内の利用者）を常時照らす照明としても機能する。撮影空間は、後述するように簡易的に閉鎖的な空間として構成される。従って、外部より光が進入しづらく、暗くなりがちで利用者の操作性が低下する恐れがある。天井ストロボユニット１３が、その照明により撮影空間を明るく照らすことにより、そのような恐れを回避し、操作性を向上させることができる。なお、このような照明は前方ユニット１１Ａや後方ユニット１１Ｂにも設けられている。
【００６５】
図２は、図１の写真シール作成装置１を、編集ユニット１２側より見た斜視図である。
【００６６】
編集ユニット１２は、図２に示すように、前方ユニット１１Ａの、後方ユニット１１Ｂ側の面（つまり、撮影空間側の面）と反対の面に隣接して設置される。編集ユニット１２の、前方ユニット１１Ａに直交する２つの側面には、利用者が撮影画像に対する落書き編集等を行うための第１編集インタフェース１２Ａと第２編集インタフェース１２Ｂがそれぞれ設けられている。
【００６７】
つまり、編集ユニット１２には、写真シール作成ゲームを行う複数組の利用者が、前方ユニット１１Ａと後方ユニット１１Ｂを結ぶ方向と直交する向きに、編集ユニット１２を挟んで対向する状態で編集作業を行うことができるように、２つの編集インタフェースが設けられている。これらの編集インタフェースの構成の詳細については後述する。なお、図示は省略するが、第１編集インタフェース１２Ａと第２編集インタフェース１２Ｂの周囲には、それぞれカーテンが配置され、これにより２つの編集作業を行う編集空間が形成されている。
【００６８】
また、編集ユニット１２の、撮影ユニット１１と対向する面には、写真シール作成ゲームがプレイされることにより作成された写真シールが排出されて利用者に提供される写真シール排出部１２Ｃが設けられている。
【００６９】
以上のような写真シール作成装置１は、利用者の各組に対して、それぞれ、写真シール作成ゲームをプレイさせる。写真シール作成装置１は、複数の写真シール作成ゲームを同時に進行させることができる。つまり、写真シール作成装置１は、同時に複数の組に写真シール作成ゲームをプレイさせることができる。このとき、各組の利用者は、写真シール作成装置１に設けられた複数の空間を移動しながら、写真シール作成ゲームの各作業を行い、ゲームを進行させる。
【００７０】
写真シール作成ゲームの流れと、それに伴う空間の移動について、図３を参照して説明する。
【００７１】
図３は、利用者のゲーム中に、写真シール作成装置１を上から見た平面図である。図３に示すように、利用者は、図中点線で示される、前方ユニット１１Ａと後方ユニット１１Ｂとの間に形成される、撮影作業を行う撮影空間２１で、前方ユニット１１Ａに代金を投入することで写真シール作成ゲームを開始する（利用者Ａ）。
【００７２】
撮影空間２１に入場した利用者（利用者Ａ）は、前方ユニット１１Ａの正面に設けられたカメラやモニタを利用して自分自身等を撮影させる撮影作業を行う。
【００７３】
撮影作業が終了すると利用者は、得られた撮影画像の中から編集対象画像として保存するものを選択し、表示された移動案内にしたがって、撮影作業を行った撮影空間２１から、図中点線で示す、編集作業を行う編集空間へと移動する。
【００７４】
編集ユニット１２の、前方ユニット１１Ａから見て右側（第１編集インタフェース１２Ａの前方）に第１編集空間２２Ａが設けられ、左側（第２編集インタフェース１２Ｂの前方）に第２編集空間２２Ｂが設けられている。つまり、この写真シール作成装置１においては、第１編集空間２２Ａの利用者（利用者Ｂ）および第２編集空間２２Ｂの利用者（利用者Ｂ'）の、合計２組の利用者が同時に編集作業を行うことができる。撮影空間２１の利用者（利用者Ａ）は、この２つの編集空間のうち、空いている方に案内される。第１編集空間２２Ａまたは第２編集空間２２Ｂに移動すると、利用者は、落書き編集作業を行う。以下において、第１編集空間２２Ａと第２編集空間２２Ｂとを区別する必要の無い場合、編集空間２２と称する。
【００７５】
その後、落書き編集が終了すると、利用者（利用者Ｂまたは利用者Ｂ'）は、次に、印刷設定作業を行い、印刷画像のレイアウトパターンの選択、追加印刷の有無の選択等の設定を行う。そして印刷が開始されると、利用者は、その印刷中にミニゲーム等を行う。そして、印刷が終了すると、写真シール排出部１２Ｃ前方の印刷物受取領域２３に移動し（利用者Ｃ）、排出された写真シール紙を受け取り、写真シール作成ゲームを終了する。
【００７６】
なお、以上のような写真シール作成ゲームにおいて、撮影空間２１の利用者Ａが、編集空間２２に移動すると、撮影空間２１が未使用になる。この段階で、写真シール作成装置１は、新たな組の利用者に撮影空間２１を使用させ、新たな写真シール作成ゲームを開始させることができる。同様に、第１編集空間２２Ａの利用者Ｂ、または、第２編集空間２２Ｂの利用者Ｂ'が、印刷物受取領域２３に移動すると、その第１編集空間２２Ａまたは第２編集空間２２Ｂが未使用になるので、写真シール作成装置１は、新たな組の利用者に、その第１編集空間２２Ａまたは第２編集空間２２Ｂを使用させることができる。
【００７７】
つまり、写真シール作成装置１は、写真シール作成ゲームの、単位時間辺りおよび単位床面積辺りの回転率を向上させるために、撮影空間２１、第１編集空間２２Ａ、第２編集空間２２Ｂ、および印刷物受取領域２３を用いて、同時に、複数組の利用者に、写真シール作成ゲームをプレイさせることができる（多重接客を行うことができる）。
【００７８】
なお、このような筐体１０の構成は任意であり、上述した以外の構成であってもよい。同様に、多重接客の仕方も任意である。
【００７９】
次に、各ユニットの構成について説明する。
【００８０】
図４は、前方ユニット１１Ａの構成例を示す図である。図４の正面１１Ａ−１は、撮影空間２１内に面する側面であり、撮影作業を行う利用者にとって前方に位置する面である。つまり、利用者は、撮影空間２１において、基本的にこの正面１１Ａ−１に向かって（前方ユニット１１Ａ側を向いて）撮影作業を行う。
【００８１】
この正面１１Ａ−１には、撮影空間２１内の被写体を撮影するカメラ５１、例えば、カメラ５１により光電変換されてリアルタイムに（即時）取得されている（撮り込まれている）取得画像や撮影結果である撮影画像などを表示するライブビューモニタ５２、撮影空間２１内を照明したり、カメラ５１による撮影タイミングに合わせてフラッシュ光を発光したりする照明装置５３−１乃至照明装置５３−７、撮影作業中の利用者の手荷物等を置くための荷物置場５４−１および荷物置場５４−２、撮影作業に関する案内や効果音等の音声が出力されるスピーカ５５−１およびスピーカ５５−２、並びに、硬貨投入返却部５６が設けられている。
【００８２】
カメラ５１は、CCD（Charge Coupled Device）を利用した撮像素子等により構成され、写真シール作成ゲームの撮影作業の工程において、撮影空間２１内の利用者を撮像し、動画像を取得画像として取得する。カメラ５１により取得された取得画像は、本撮影として、所定のタイミングのフレームの画像が抜き出され、撮影画像（静止画像）として保存される。なお、カメラ５１として、CCDの代わりに、例えばCMOS（Complementary Metal-Oxide Semiconductor）センサを用いたカメラを使用してもよい。勿論、これら以外にも、利用者を撮影し、デジタル画像データを得られるものであればどのようなカメラを用いるようにしてもよい。また、カメラ５１の個数も設置位置も任意である。
【００８３】
ライブビューモニタ５２は、CRT（Cathode Ray Tube）ディスプレイやLCD（Liquid Crystal Display）等により構成され、カメラ５１の取得画像や撮影画像などを表示するモニタである。
【００８４】
照明装置５３−１乃至照明装置５３−７は、複数の、蛍光灯およびストロボ発光可能な照明装置により構成され、撮影空間２１を明るくし、操作性や安全性を確保するために、撮影空間２１を常時照らすとともに、撮影画像の画質を向上させるために、撮影タイミングに対応するタイミングでストロボ発光し、撮影される利用者に光を多様な角度から照射する。以下において、照明装置５３−１乃至照明装置５３−７を互いに区別して説明する必要の無い場合、照明装置５３と称する。
【００８５】
荷物置場５４−１および荷物置場５４−２は、撮影時における利用者の手荷物の置き場所として利用する棚である。荷物置場５４−１および荷物置場５４−２は、いずれも、撮影の邪魔にならないような位置、即ち、利用者が撮影ポーズをとるのに邪魔にならず、かつ、照明装置５３の光の照射の妨げとならない位置に設けられている。利用者は、手荷物を荷物置場５４−１または荷物置場５４−２に置くことにより、より快適に撮影作業を行うことができる。
【００８６】
また、荷物置場５４−２の上部には、タッチパネルモニタ５７が設けられている。タッチパネルモニタ５７は、CRTディスプレイやLCD等により構成され、カメラ５１の撮影画像、撮影画像に合成する合成用画像の選択等を行うGUI（Graphical User Interface）画像、撮影作業の手順を案内する案内画像等、撮影作業に関する画像を表示するモニタである。このタッチパネルモニタ５７の画面上には無色透明のタッチパネルが重畳されており、例えば利用者の指等でタップ（接触または近接）することによりその位置情報（利用者の指示）を入力することができる。
【００８７】
なお、以下において、荷物置場５４−１および荷物置場５４−２を互いに区別して説明する必要のない場合、単に荷物置場５４と称する。
【００８８】
スピーカ５５−１およびスピーカ５５−２は、写真シール作成ゲームの撮影作業における案内音声、BGM、効果音等の音声を適宜出力する。スピーカ５５−１およびスピーカ５５−２を互いに区別する必要のない場合、スピーカ５５と称する。なお、スピーカ５５の数および設置位置は任意である。
【００８９】
硬貨投入返却部５６は、写真シール作成ゲームの代金の投入を受け付けるとともに、投入されたものが、所定の硬貨以外のものである場合、それを排出する。
【００９０】
勿論、前方ユニット１１Ａの正面１１Ａ−１に上述した以外の構成が設けられるようにしてもよい。
【００９１】
次に、編集ユニット１２の構成について説明する。
【００９２】
図５は、編集ユニット１２の、撮影ユニット１１側から見て右側面の構成例（第１編集空間２２Ａ側の構成例）を示す図である。
【００９３】
図５において、この右側面には、第１編集インタフェース１２Ａが設けられている。その上側には、第１編集空間２２Ａを照らすための照明装置６１が設けられている。この照明装置６１により、写真シール作成装置１は、利用者の編集作業効率の低下を抑制し、第１編集空間２２Ａの安全性を向上させることができる。なお、図５の例においては、編集ユニット１２の、照明装置６１が設けられている第１編集インタフェース１２Ａの上側の部分が、第２編集空間２２Ｂ側に貫通しており、照明装置６１は、第１編集空間２２Ａと第２編集空間２２Ｂとで共有している。つまり、照明装置６１は、第１編集空間２２Ａだけでなく第２編集空間２２Ｂも照明し、安全性を向上させる。なお、この照明装置６１の設置位置および個数は任意である。
【００９４】
第１編集インタフェース１２Ａには、タブレット内蔵モニタ６２、２本のタッチペン６３−１およびタッチペン６３−２、並びに、スピーカ６４が設けられている。
【００９５】
タブレット内蔵モニタ６２は、タッチペン６３−１またはタッチペン６３−２により位置情報を入力可能なタブレットと、CRTディスプレイやLCD等の、画像を表示可能な表示デバイスを有するモニタであり、撮影空間における撮影作業により得られた撮影画像を編集する編集作業用のGUI画像からなる編集画面等を表示する。ここでは、タブレットは、例えば、感圧式や電磁誘導式の入力デバイスであり、無色透明で、表示デバイスの表示画面上に重畳されて設置されている。つまり、タブレット内蔵モニタ６２は、表示デバイスにより単にGUI画像等を表示するだけでなく、タブレットにより利用者からの入力操作を受け付ける。
【００９６】
タッチペン６３−１とタッチペン６３−２は、タブレット内蔵モニタ６２の左右近傍に、左右１本ずつ所定のアタッチメントにより編集ユニット１２に着脱可能に固定されており、同じ組の２人の利用者が、これらのタッチペンをそれぞれ使用することにより、同時に、写真シール作成作業の編集作業の工程をプレイすることができるようになされている。なお、以下において、タッチペン６３−１およびタッチペン６３−２を互いに区別して説明する必要のない場合、単にタッチペン６３と称する。
【００９７】
そのタッチペン６３は、編集ユニット１２内部に設置されたシステムと有線（または無線）により電気的に接続されている。タッチペン６３は、タブレット内蔵モニタ６２の表示デバイスの表示画面上に重畳された無色透明のタブレットと連携して動作する。利用者がこれらのタッチペン６３を操作して、そのタブレットをタップする（タッチペン６３とタブレット内蔵モニタ６２の表示画面を接触（または近接）させる）ことにより、これらは、利用者からの入力を受け付ける入力手段として動作する。なお、タッチペン６３の設置本数、設置位置、及び形状等は任意である。
【００９８】
スピーカ６４は、例えば、案内音声、効果音、またはBGM等、写真シール作成ゲームの編集作業に関する音声を出力する。なお、スピーカ６４の設置個数、デザイン、および形状等は任意である。
【００９９】
追加硬貨投入返却部６５は、写真シールを追加印刷するための代金の投入を受け付けるとともに、投入されたものが、所定の硬貨以外のものである場合、それを排出する。
【０１００】
なお、編集ユニット１２の第２編集空間２２Ｂ側の構成も、図５に示す第１編集空間２２Ａ側の構成と基本的に同様であるので、その説明については省略する。以下においては、図５に示す構成例は、編集ユニット１２の第２編集空間２２Ｂ側の構成を説明する場合にも適用する。
【０１０１】
図６は、編集ユニット１２の、写真シール排出部１２Ｃの構成例を示す図である。
【０１０２】
図６に示すように、写真シール排出部１２Ｃには、第１編集空間２２Ａにおいて編集作業を行った利用者が作成した写真シール（つまり、第１編集インタフェース１２Ａが操作されて作成された写真シール）と、第２編集空間２２Ｂにおいて編集作業を行った利用者が作成した写真シール（つまり、第２編集インタフェース１２Ｂが操作されて作成された写真シール）が排出される写真シール排出口７１が設けられている。
【０１０３】
編集ユニット１２内部には、プリンタが設置されており、第１編集インタフェース１２Ａまたは第２編集インタフェース１２Ｂが操作されて作成された編集済みの画像や撮影画像は、そのプリンタによりシール紙に印刷される。プリンタより出力された写真シールは、この写真シール排出口７１より排出される。
【０１０４】
次に、写真シール作成装置１の内部の構成例について説明する。
【０１０５】
図７は、写真シール作成装置１の機能的構成例を示すブロック図である。以上において説明した部分と同じ部分については、同じ番号を付してある。
【０１０６】
図７において、写真シール作成装置１は、写真シール作成装置１の装置全体を制御する処理部である制御装置１０１を有しており、その制御装置１０１には、記憶部１０２、通信部１０３、ドライブ１０４、ROM（Read Only Memory）１０６、RAM（Random Access Memory）１０７、撮影部１１１、編集部１１２、およびプリンタ１１３がそれぞれ所定のバスを介して接続される。
【０１０７】
記憶部１０２は、例えばハードディスクやフラッシュメモリ等のような不揮発性の記憶媒体を有しており、制御装置１０１より供給される各種設定情報をその記憶媒体に保存したり、記憶媒体に記録されている設定情報を読み出して制御装置１０１に供給したりする。なお、この記憶媒体は、情報を記憶することができるものであれば、どのようなものであってもよい。
【０１０８】
通信部１０３は、例えばインターネットや公衆電話回線網等のような外部のネットワーク（図示せず）を介して、または単に通信ケーブル（図示せず）を介して、他の通信装置（図示せず）に接続され、制御装置１０１に制御されて、例えば利用者の携帯型電話機、利用者のパーソナルコンピュータ、または中央管理サーバ等のような他の通信装置と通信を行う。例えば、通信部１０３は、制御装置１０１より通信信号として供給される送信信号を他の通信装置に送信したり、他の通信装置より供給された受信信号を通信信号として制御装置１０１に供給したりする。
【０１０９】
ドライブ１０４には、磁気ディスク（フレキシブルディスクを含む）、光ディスク（CD-ROM(Compact Disc-Read Only Memory)、DVD(Digital Versatile Disc)を含む）、光磁気ディスク、および、半導体メモリなどのリムーバブルメディア１０５が適宜装着され、それらから読み出されたコンピュータプログラムやデータが、必要に応じて制御装置１０１に供給され、記憶部１０２等に保存されたり、インストールされたりする。
【０１１０】
ROM１０６には、制御装置１０１において実行されるプログラムやデータが予め格納されており、ROM１０６は、制御装置１０１の指示に基づいて、プログラムやデータを制御装置１０１に供給する。RAM１０７は、制御装置１０１が処理するデータやプログラムを一時的に保持する。
【０１１１】
撮影部１１１は、撮影ユニット１１に関するブロックであり、硬貨処理部１３１、背景カーテン１３２、照明装置５３、カメラ５１、ライブビューモニタ５２、タッチパネルモニタ５７、およびスピーカ５５を有する。
【０１１２】
硬貨処理部１３１は、制御装置１０１から入力される起動信号に応じて起動し、硬貨投入返却部５６に硬貨が投入されると、利用者によるゲームの代金支払いに関する処理（ゲーム参加受け付け等）を行い、起動信号を制御装置１０１に供給する。制御装置１０１は、この起動信号に応じて、撮影作業の手順の案内をタッチパネルモニタ５７とスピーカ５５に行わせたり、カメラ５１と照明装置５３を制御して撮影を行わせたりする。
【０１１３】
背景カーテン１３２は、写真シール作成ゲームの撮影作業の工程において、背景として用いられる複数の昇降式カーテンとその制御を行う制御部を有するユニットである。各カーテンは互いに色、模様、絵柄等が異なり、互いに異なる背景となるようになされている。つまり、利用者は調節するカーテンを選択することにより背景の色、模様、絵柄等を選択することができる。背景カーテン１３２（の制御部）は、後方ユニット１１Ｂの上部に設けられ、利用者により選択された１つまたは複数のカーテンを、撮影空間２１の後方（被写体となる利用者より後側）に吊設する。このとき、既に吊設されている不要なカーテンは、巻き上げて収納する。実際には、背景カーテン１３２は、制御装置１０１により制御されて動作し、制御装置１０１より供給される背景制御信号にしたがってカーテンを吊設したり収納したりする。
【０１１４】
なお、各カーテンの素材、形、大きさ等は任意であり、例えばパネル状や立体形状のものも含む。また、各カーテンの素材、形、大きさ等が、互いに異なるようにしてもよい（全てのカーテンにおいて素材、形、大きさ等統一されている必要はない）。また、利用者が背景を選択することができればよく、例えば、スライド式、開閉式、または折り畳み式等、昇降式以外のカーテンを用いるようにしてもよい。さらに、背景として使用されるカーテンは吊設されるのではなく、後方ユニット１１Ｂの撮影空間２１側の側面、つまり、撮影空間２１において、前方ユニット１１Ａの正面１１Ａ−１に対向する、撮影空間２１の背面となる面に張り付けられるようにしてもよい。また、制御装置１０１を介さずに、利用者が手動で、背景カーテン１３２に用意されたカーテンを選択し、設置するようにしてもよい。
【０１１５】
なお、撮影時の背景として、背景カーテン１３２以外を用いることができるようにしてもよい。例えば、利用者が持ち込んだ絵やアイテムを撮影空間２１の背面（またはカーテン）に貼り付けることができるようにしてもよいし、利用者が持ち込んだ、または、選択した画像を撮影空間２１の背面（またはカーテン）に表示または映写するようにしてもよい。
【０１１６】
また、１枚のクロマキー用のカーテンを予め撮影空間２１の背面に張り付けるとともに、合成用画像を複数種類用意し、利用者が所望する合成用画像を撮影画像のカーテンの部分に合成することができるようにしてもよい。
【０１１７】
以上のように何らかの方法で利用者が背景を選択することができるようにすることにより、利用者の嗜好により適した画像を提供することができる。
【０１１８】
照明装置５３は、制御装置１０１より供給される照明制御信号に基づいて、点灯したり、消灯したり、またはフラッシュ光を発光したりする。
【０１１９】
カメラ５１は、制御装置１０１に制御されて、写真シール作成ゲームの撮影作業の工程において、撮影空間２１内の利用者等を被写体として撮影を行う。例えば、カメラ５１は、制御装置１０１の制御の下、動画像を取りこみ、その取得した動画像データを制御装置１０１に供給する。また、カメラ５１は、制御装置１０１より供給されるシャッタ制御信号に基づいて、メカシャッタを動作させる等して、撮影画像（静止画像）の取得を行い、取得した静止画像データを制御装置１０１に供給する。
【０１２０】
ライブビューモニタ５２は、制御装置１０１より供給されるRGB信号に基づいて、取得画像や撮影画像を表示する。タッチパネルモニタ５７は、CRTディスプレイやLCDなどよりなる表示部１３３を有しており、制御装置１０１より供給されるRGB信号に基づく画像を、その表示部１３３に表示する。また、タッチパネルモニタ５７は、その表示部１３３の表面に重畳された、無色透明のタッチパネル（図示せず）も有している。利用者が、自分自身の指等を用いてこのタッチパネルにタップすると、タッチパネルモニタ５７は、その位置情報を表す信号を入力信号として制御装置１０１に供給する。制御装置１０１は、その入力信号が表す位置情報を解析し、表示画像に対して利用者が入力した情報や指示を特定し、受け付ける。
【０１２１】
スピーカ５５は、例えば、制御装置１０１より供給される音声信号の音声（撮影作業の案内音声、効果音、またはBGM等）を出力する。
【０１２２】
編集部１１２は、編集ユニット１２に関するブロックであり、第１編集インタフェース１２Ａに対応する第１編集部１１２Ａと、第２編集インタフェース１２Ｂに対応する第２編集部１１２Ｂよりなる。第１編集部１１２Ａおよび第２編集部１１２Ｂは互いに同一の構成を有しており、以下の説明は、第１編集部１１２Ａについて行うが、第２編集部１１２Ｂにも適用可能である。
【０１２３】
第１編集部１１２Ａは、図５を参照して説明したように、タブレット内蔵モニタ６２、タッチペン６３−１およびタッチペン６３−２、スピーカ６４、並びに硬貨処理部１４３を有する。
【０１２４】
タブレット内蔵モニタ６２は、上述したように、CRTディスプレイやLCD等の表示デバイスよりなる編集用モニタ１４１と、編集用モニタ１４１の表示画面上に重畳された無色透明のタブレット１４２により構成される。タブレット内蔵モニタ６２は、制御装置１０１より供給されるRGB信号に対応する、編集入力用のGUIや撮像画像等、編集に関する画像を、編集用モニタ１４１に表示する。また、利用者が、タッチペン６３−１またはタッチペン６３−２を操作してタブレット１４２にタップすると、タブレット内蔵モニタ６２は、その位置情報を表す信号を入力信号として制御装置１０１に供給する。制御装置１０１は、その入力信号が表す位置情報を解析し、表示画像に対して利用者が入力した情報や指示を特定し、受け付ける。つまり、撮影画像に対する編集入力は、これらの構成を用いて行われる。
【０１２５】
スピーカ６４は、制御装置１０１より供給される音声信号の音声（編集作業の案内音声、効果音、またはBGM等の、写真シール作成ゲームの編集作業の工程に関する音声）を出力する。硬貨処理部１４３は、制御装置１０１から入力される起動信号に応じて起動し、追加硬貨投入返却部６５に追加印刷用の硬貨が投入されると、利用者による追加印刷の代金支払いに関する処理（追加印刷受け付け等）を行い、起動信号を制御装置１０１に供給する。制御装置１０１は、この起動信号に応じて、追加印刷に関する設定を行うための画面等を編集用モニタ１４１に表示させたり、追加印刷に関する音声をスピーカ６４から出力させたりする。
【０１２６】
プリンタ１１３は、編集部１１２により行われた編集作業結果をシール紙に印刷する２つのヘッド（ヘッド１５１およびヘッド１５２）を有する。プリンタ１１３は、制御装置１０１より第１編集部１１２Ａにより行われた編集作業結果を取得すると、シール紙ユニット１６１よりシール紙１６２を取得し、ヘッド１５１において、編集作業結果をシール紙１６２に印刷する。また、プリンタ１１３は、制御装置１０１より第２編集部１１２Ｂにより行われた編集作業結果を取得すると、シール紙ユニット１６１よりシール紙１６２を取得し、ヘッド１５２において、編集作業結果をシール紙１６２に印刷する。
【０１２７】
プリンタ１１３は、印刷を終了すると、その印刷されたシール紙１６２を写真シールとして写真シール排出口７１より排出し、利用者に提供する。
【０１２８】
次に、制御装置１０１について説明する。図８は、制御装置１０１が有する機能ブロックの構成例を示す図である。図８に示すように、制御装置１０１は、利用者の撮影等の、写真シール作成ゲームの撮影作業の工程に関する処理を行う撮影処理部２０１、撮影画像に対する落書き編集等の、写真シール作成ゲームの編集作業の工程に関する処理を行う編集処理部２０２、編集済み画像のシール紙への印刷等の、写真シール作成ゲームの印刷の工程に関する処理を行う印刷処理部２０３、編集済み画像または撮影画像のシール紙への追加印刷等の、写真シール作成ゲームの追加印刷の工程に関する処理を行う追加印刷処理部２０４、および、編集作業を終了した利用者を接客する写真シール作成ゲームの事後接客の工程に関する処理を行う事後接客処理部２０５を有する。
【０１２９】
つまり、制御装置１０１は、写真シール作成ゲームの各工程に関する処理を行う。
【０１３０】
これらの中で、追加印刷処理部２０４は、写真シール作成ゲームの編集作業の工程後に、その編集作業の工程において得られた編集済み画像または撮影作業の工程において得られた撮影画像のシール紙への追加印刷に関する処理を行う。例えば、追加印刷処理部２０４は、GUI画像を表示したり、シール紙に追加印刷する印刷画像（以下、適宜、追加印刷画像という）の外縁に所定の色の縁画像を合成したり、縁画像が合成された追加印刷画像を追加印刷させたりする。つまり、追加印刷処理部２０４は、利用者に対して追加写真シールを作成する追加写真シール作成機能を提供する。なお、縁画像は、単色の画像であってもよいし、所定の色を基本としたグラデーションや柄のある画像であってもよいが、以下では、単色の画像であるものとして説明する。
【０１３１】
図９は、図８の追加印刷処理部２０４の追加写真シール作成機能に関する、さらに詳細な構成例を示す機能ブロック図である。
【０１３２】
図９の例において、追加印刷処理部２０４は、追加写真シール作成機能に関する構成として、案内画面表示制御部２２０、追加印刷指示受付部２２１、シールレイアウト表示制御部２２２、画像表示制御部２２３、画像選択指示受付部２２４、サンプル画像表示制御部２２５、合成指示受付部２２６、設定部２２７、縁画像合成部２２８、印刷指示受付部２２９、および印刷制御部２３０を有する。
【０１３３】
案内画面表示制御部２２０は、追加印刷の案内画面を編集用モニタ１４１に表示させる。追加印刷指示受付部２２１は、追加印刷の案内画面において利用者からの追加印刷の指示を受け付け、その指示に応じて硬貨処理部１４３に起動信号を供給する。これにより、硬貨処理部１４３は起動し、追加硬貨投入返却部６５に追加印刷用の硬貨が投入されると、利用者による追加印刷の代金支払いに関する処理（追加印刷受け付け等）が行われ、起動信号が制御装置１０１に供給される。そして、追加印刷指示受付部２２１は、このようにして硬貨処理部１４３から供給されてくる起動信号を受け付ける。
【０１３４】
シールレイアウト表示制御部２２２は、予め記憶部１０２に記憶されている印刷画像のレイアウトパターンに基づいて、追加写真シール内の追加印刷画像のレイアウトパターンを選択するためのレイアウト選択画面などを編集用モニタ１４１に表示させる。また、シールレイアウト表示制御部２２２は、レイアウト選択画面において利用者からのレイアウトパターンの選択指示を受け付ける。
【０１３５】
画像表示制御部２２３は、撮影画像または編集済み画像を追加印刷画像として選択するための追加印刷画像選択画面を、編集用モニタ１４１に表示させる。なお、この撮影画像と編集済み画像は、記憶部１０２に記憶されている。また、画像表示制御部２２３は、縁画像合成部２２８により縁画像が合成された追加印刷画像を、編集用モニタ１４１に表示させる。
【０１３６】
画像選択指示受付部２２４は、追加印刷画像選択画面に表示されている撮影画像または編集済み画像のうち、追加写真シールの追加印刷画像とする撮影画像または編集済み画像を選択する指示である追加印刷画像選択指示を受け付ける。サンプル画像表示制御部２２５は、縁画像の色のサンプルとしての画像であるサンプル画像を編集用モニタ１４１に表示させる。このサンプル画像は、記憶部１０２に予め記憶されている。
【０１３７】
合成指示受付部２２６は、追加印刷画像ごとに、サンプル画像と同一の色の縁画像を合成画像の外縁に合成させる指示である縁画像合成指示を受け付ける。この縁画像合成指示は、利用者が合成したい縁画像の色のサンプル画像を選択することで入力される。設定部２２７は、追加印刷画像ごとに、縁画像合成指示に応じて、その追加印刷画像に合成する縁画像の色を設定する。縁画像合成部２２８は、設定部２２７により設定された色の縁画像を、追加印刷画像の外縁に合成する。
【０１３８】
印刷指示受付部２２９は、利用者からの追加印刷画像の印刷の指示を受け付ける。印刷制御部２３０は、印刷の指示に応じて、縁画像が合成された追加印刷画像や、縁画像が合成されていない追加印刷画像を、利用者により選択指示されたレイアウトパターンで配置して印刷するための印刷データを作成する。印刷制御部２３０は、その印刷データをプリンタ１１３に供給して、シール紙への追加印刷画像の印刷を行わせる。その結果、追加印刷画像が印刷された追加写真シールが写真シール排出部１２Ｃから排出される。
【０１３９】
なお、撮影画像、編集済み画像、縁画像が合成された追加印刷画像、およびサンプル画像の画像データは、所在さえ明らかにされていれば、記憶部１０２以外のどこに記憶されているようにしてもよく、例えば、リムーバブルメディア１０５、ROM１０６、またはRAM１０７に記憶されているようにしてもよいし、制御装置１０１が内蔵するメモリに保持するようにしてもよい。さらに、例えば、一部の画像データを記憶部１０２に記憶し、残りの一部の画像データをリムーバブルメディア１０５に記憶するなど、画像データ群が複数箇所に分けて記憶されるようにしてもよい。
【０１４０】
次に、写真シール作成ゲームの流れについて、図１０のフローチャートを参照して説明する。必要に応じて、図１１を参照して説明する。
【０１４１】
写真シール作成ゲームを行う利用者は、最初に、撮影空間２１において、前方ユニット１１Ａの硬貨投入返却部５６に硬貨を投入し、ゲームの代金を支払う。硬貨処理部１３１は、このような硬貨投入を受け付け、起動信号を制御装置１０１に供給する。制御装置１０１の撮影処理部２０１は、ステップＳ１において、その起動信号に基づいて、代金が投入されたか否かを判定し、正当な代金が投入されたと判定した場合、処理をステップＳ２に進める。
【０１４２】
ステップＳ２において、撮影処理部２０１は、撮影部１１１の各部を制御し、撮影空間２１内において行われる、写真シール作成ゲームの撮影作業に関する処理である撮影処理を実行する。この撮影処理の詳細は、図１２および図１３のフローチャートを参照して後述する。
【０１４３】
撮影作業が終了すると、撮影処理部２０１は、ステップＳ３において、撮影作業を終えた撮影空間２１内の利用者に対して、画像や音声によって第１編集空間２２Ａまたは第２編集空間２２Ｂへの移動を促す移動案内処理を行う。
【０１４４】
編集処理部２０２は、ステップＳ３において、編集空間２２に移動した利用者に対して、写真シール作成ゲームの編集作業に関する処理である編集処理を行う。この編集処理の詳細は、図１５のフローチャートを参照して後述する。
【０１４５】
編集作業が終了すると、印刷処理部２０３は、ステップＳ５において、プリンタ１１３を制御し、編集作業により得られた編集済み画像をシール紙に印刷する印刷処理を行う。
【０１４６】
ステップＳ６において、追加印刷処理部２０４の案内画面表示制御部２２０は、図１１に示す追加印刷の案内画面を表示させる。図１１の案内画面は、追加印刷の有無の選択を促すメッセージ「Ｗ出しをする？」、追加印刷するときに操作されるGUIボタンである「する」ボタン２４１、および、追加印刷しないときに操作されるGUIボタンである「しない」ボタン２４２等により構成される。
【０１４７】
ステップＳ７において、追加印刷指示受付部２２１は、追加印刷が指示されたか否かを判定する。利用者により「する」ボタン２４１が操作され、追加印刷が指示されたと判定された場合、追加印刷指示受付部２２１は、硬貨処理部１４３に起動信号を供給し、処理をステップＳ８に進める。ステップＳ８において、追加印刷指示受付部２２１は、追加印刷用の代金が投入されたか否かを判定する。
【０１４８】
利用者から追加硬貨投入返却部６５に追加印刷用の硬貨が投入されることにより、硬貨処理部１４３から起動信号が供給され、追加印刷用の正当な代金が投入されたと判定された場合、処理はステップＳ９に進む。
【０１４９】
ステップＳ９において、追加印刷処理部２０４は、追加印刷画像をシール紙に追加印刷する追加印刷処理を行い、処理はステップＳ１０に進む。この追加印刷処理の詳細は、図２３のフローチャートを参照して後述する。
【０１５０】
一方、利用者により「しない」ボタン２４２が操作され、ステップＳ７で追加印刷が指示されていないと判定された場合、または、利用者から追加硬貨投入返却部６５に追加印刷用の硬貨が投入されず、ステップＳ８で追加印刷用の正当な代金が投入されていないと判定された場合、ステップＳ９の追加印刷処理は行われず、処理はステップＳ１０に進む。
【０１５１】
ステップＳ１０において、事後接客処理部２０５は、印刷終了待機中の利用者に対して、編集済み画像を投稿するミニゲーム、携帯端末などに編集済み画像を転送するサービス、アンケート入力等を提供する事後接客処理を行う。
【０１５２】
そして事後接客処理が終了すると、事後接客処理部２０５は、ステップＳ１１において、編集空間２２の利用者を印刷物受取領域２３に移動させる移動案内処理を行う。また、印刷処理が終了すると、印刷処理部２０３は、ステップＳ１２において、プリンタ１１３を制御し、印刷済みのシール紙を通常写真シールとして写真シール排出口７１より排出させる。なお、ステップＳ９の追加印刷処理が行われた場合、追加印刷処理部２０４もプリンタ１１３を制御し、印刷済みのシール紙を追加写真シールとして写真シール排出口７１より排出させる。そして、写真シール作成ゲーム処理を終了する。
【０１５３】
次に、図１２および図１３のフローチャートを参照して、図１０のステップＳ２において実行される撮影処理の詳細な流れの例を説明する。必要に応じて、図１４を参照して説明する。
【０１５４】
ステップＳ３１において、撮影処理部２０１は、写りが選択されたか否かを判定する。具体的には、例えば、撮影処理部２０１は、まず最初に、予め撮影されて記憶部１０２に記憶されているモデルのイメージ画像であって、写りの異なる画像を表示部１３３に表示させる。次に、撮影処理部２０１は、利用者がタッチパネルモニタ５７をタッチしてイメージ画像を選択したことを検知したか否かで、利用者により、そのイメージ画像の写りが選択されたか否かを判定する。
【０１５５】
利用者がタッチパネルモニタ５７をタッチしてイメージ画像を選択し、ステップＳ３１で写りが選択されたと判定された場合、処理はステップＳ３３に進む。
【０１５６】
一方、撮影処理が開始された後、所定の時間が経過しても、利用者によりイメージ画像が選択されなかった場合、ステップＳ３１で写りが選択されていないと判定され、処理はステップＳ３２に進む。そして、ステップＳ３２において、撮影処理部２０１は、所定の写りが選択されたものとみなして、処理をステップＳ３３に進める。
【０１５７】
ステップＳ３３において、ステップＳ３１で選択されたと判定された写り、またはステップＳ３２で選択されたとみなされた写りを、今回の撮影処理の写りとして設定する。具体的には、選択された写りに対応するパラメータ値が、この後撮影される画像の画質に関するパラメータ値として設定される。
【０１５８】
ステップＳ３４において、撮影処理部２０１は、色味ジャンル（詳細は後述する）が選択されたか否かを判定する。具体的には、例えば、撮影処理部２０１は、まず最初に、予め記憶部１０２に記憶されている色味ジャンルを表すGUIボタンである色味ジャンルボタンを表示部１３３に表示させる。次に、撮影処理部２０１は、利用者がタッチパネルモニタ５７をタッチして色味ジャンルボタンを選択したことを検知したか否かで、利用者により、その色味ジャンルボタンが表す色味ジャンルが選択されたか否かを判定する。
【０１５９】
なお、色味ジャンルとは、合成用画像の色味による分類である。例えば、色味ジャンルとして、「春」、「夏」、「秋」、「冬」といったものが用意される場合、それぞれの色味ジャンルに、春のイメージ、夏のイメージ、秋のイメージ、冬のイメージの色味の合成用画像が分類される。
【０１６０】
利用者がタッチパネルモニタ５７をタッチして色味ジャンルボタンを選択し、ステップＳ３４で色味ジャンルが選択されたと判定された場合、処理はステップＳ３６に進む。
【０１６１】
一方、ステップＳ３３の処理の終了後、所定の時間が経過しても、利用者により色味ジャンルボタンが選択されなかった場合、ステップＳ３４で色味ジャンルが選択されていないと判定され、処理はステップＳ３５に進む。そして、ステップＳ３５において、撮影処理部２０１は、所定の色味ジャンルが選択されたものとみなして、処理をステップＳ３６に進める。
【０１６２】
ステップＳ３６において、撮影処理部２０１は、ステップＳ３４で選択されたと判定された色味ジャンル、またはステップＳ３５で選択されたとみなされた色味ジャンルを、今回の撮影処理の色味ジャンルとして設定する。
【０１６３】
ステップＳ３７において、撮影処理部２０１は、明るさが選択されたか否かを判定する。具体的には、例えば、撮影処理部２０１は、まず最初に、予め撮影されて記憶部１０２に記憶されているモデルのイメージ画像であって、明るさの異なる画像を表示部１３３に表示させる。次に、撮影処理部２０１は、利用者がタッチパネルモニタ５７をタッチしてイメージ画像を選択したことを検知したか否かで、利用者により、そのイメージ画像の明るさが選択されたか否かを判定する。
【０１６４】
利用者がタッチパネルモニタ５７をタッチしてイメージ画像を選択し、ステップＳ３７で明るさが選択されたと判定された場合、処理はステップＳ３９に進む。
【０１６５】
一方、ステップＳ３６の処理後、所定の時間が経過しても、利用者によりイメージ画像が選択されなかった場合、ステップＳ３７で明るさが選択されていないと判定され、処理はステップＳ３８に進む。そして、ステップＳ３８において、撮影処理部２０１は、所定の明るさが選択されたものとみなして、処理をステップＳ３９に進める。
【０１６６】
ステップＳ３９において、撮影処理部２０１は、ステップＳ３７で選択されたと判定された明るさ、またはステップＳ３８で選択されたとみなされた明るさを、今回の撮影処理の明るさとして設定する。具体的には、選択された明るさに対応するパラメータ値が、この後撮影される画像の画質に関するパラメータ値として設定される。
【０１６７】
ステップＳ４０において、撮影処理部２０１は、ステップＳ３６で設定された色味ジャンルに応じて、図１４に示す構成の合成用画像選択画面２５０を表示部１３３に表示させる。図１４の合成用画像選択画面２５０には、ステップＳ３６で設定された色味ジャンルの合成用画像が、タブ方式により、そのカテゴリ毎に分類されて表示される。図１４の例においては、合成用画像選択画面２５０には、ヨコプリタブ２５１、オーラタブ２５２、フレームタブ２５３、およびノーマルタブ２５４が設けられている。
【０１６８】
ヨコプリタブ２５１は、例えばシール紙に印刷画像を横向きに印刷する場合に適した背景画像が合成用画像として分類されるカテゴリ「ヨコプリ」に対応するタブである。オーラタブ２５２は、被写体の輪郭を彩るのに適した背景画像であるオーラ画像が合成用画像として分類されるカテゴリ「オーラ」に対応するタブである。フレームタブ２５３は、被写体の画像に図柄や模様などを付加する前景画像であるフレーム画像が合成用画像として分類されるカテゴリ「フレーム」に対応するタブである。ノーマルタブ２５４は、色や模様のみからなる背景画像が合成用画像として分類されるカテゴリ「ノーマル」に対応するタブである。
【０１６９】
図１４の例では、利用者がオーラタブ２５２を選択しており、合成用画像選択画面２５０には、そのオーラタブ２５２に対応する、カテゴリ「オーラ」に分類された合成用画像のGUI画面が表示される。なお、図１４の例では、そのGUI画面に、「オーラ」に分類された合成用画像が合成されたモデルとしての撮影画像（以下、モデル合成用画像という）が、モデル合成用画像群として１５個並べて表示されている。利用者は、モデル合成用画像群の中の所望のモデル合成用画像を、利用者の指等でタップ（接触または近接）することにより、そのモデル合成用画像に対応する合成用画像の選択を指示することができる。
【０１７０】
また、合成用画像選択画面２５０では、合成用画像を３つ選択するようになされており、選択された３つの合成用画像のモデル合成用画像は、合成用画像選択画面２５０の左側に、モデル合成用画像２６１乃至２６３として並べて表示される。
【０１７１】
なお、図１４の例では、GUI画面にモデル合成用画像が表示されたが、合成用画像そのものが表示されるようにしてもよい。
【０１７２】
図１２に戻り、ステップＳ４１において、撮影処理部２０１は、利用者により所定枚数(本実施の形態では、３枚)の合成用画像の選択が指示されたか否かを判定する。合成用画像選択画面２５０において所定枚数のモデル合成用画像がまだ選択されておらず、ステップＳ４１で合成用画像の選択が指示されていないと判定された場合、撮影処理部２０１は、所定枚数のモデル合成用画像が選択されるまで待機する。
【０１７３】
一方、合成用画像選択画面２５０において所定枚数のモデル合成用画像が選択され、ステップＳ４１で所定枚数の合成用画像の選択が指示されたと判定された場合、撮影処理部２０１は、選択された合成用画像を撮影画像に合成させる指示である合成用画像合成指示を受け付け、処理をステップＳ４２に進める。
【０１７４】
ステップＳ４２において、撮影処理部２０１は、合成用画像合成指示に基づいて、合成用画像選択画面２５０において利用者に選択された３枚のモデル合成用画像に対応する合成用画像のうち、まだ読み出されていない１枚の合成用画像を記憶部１０２から読み出す。ステップＳ４３において、撮影処理部２０１は、カメラ５１により取得され、ステップＳ４２で読み出された合成用画像と合成された利用者の動画像を、ライブビューモニタ５２にライブビュー画像として表示させる。
【０１７５】
ステップＳ４４において、撮影処理部２０１は、ライブビューモニタ５２にカウントダウンインジケータを表示させる。ステップＳ４５において、撮影処理部２０１は、ステップＳ３３およびＳ３９で設定されたパラメータ値にしたがってカメラ５１を制御し、撮影を行う。ステップＳ４６において、撮影処理部２０１は、ステップＳ４５で撮影された結果得られる撮影画像に、ステップＳ４２で読み出された合成用画像を合成する。
【０１７６】
ステップＳ４７において、撮影処理部２０１は、ステップＳ４６で合成用画像が合成された撮影画像を、ライブビューモニタ５２に表示させる。ステップＳ４８において、撮影処理部２０１は、撮影画像を所定枚数（本実施の形態では３枚)撮影したか否かを判定する。
【０１７７】
ステップＳ４８で撮影画像を所定枚数撮影していないと判定された場合、処理はステップＳ４２に戻り、以降の処理が繰り返される。一方、ステップＳ４８で撮影画像を所定枚数撮影したと判定された場合、ステップＳ４９において、撮影処理部２０１は、撮影画像をさらに３枚以上撮影することができるか否かを判定する。
【０１７８】
撮影処理が開始されてからの時間を撮影処理の制限時間から減算した残りの時間が、撮影画像を３枚以上撮影することが可能な時間より多く、ステップＳ４９で撮影画像をさらに３枚以上撮影することができると判定された場合、処理はステップＳ４０に戻り、以降の処理が繰り返される。
【０１７９】
一方、撮影処理が開始されてからの時間を撮影処理の制限時間から減算した残りの時間が、撮影画像を３枚以上撮影することが可能な時間より少なく、撮影画像をさらに３枚以上撮影することができないと判定された場合、処理は図１３のステップＳ５０に進む。
【０１８０】
ステップＳ５０において、撮影処理部２０１は、撮影処理が開始されてからの時間がまだ撮影処理の制限時間内であるか否かを判定する。ステップＳ５０で、撮影処理が開始されてからの時間がまだ制限時間内であると判定された場合、ステップＳ５１において、撮影処理部２０１は、図１２のステップＳ４０の処理と同様に合成用画像選択画面２５０（図１４）を表示部１３３に表示させる。
【０１８１】
ステップＳ５２において、撮影処理部２０１は、ステップＳ４１の処理と同様に、所定枚数（本実施の形態では１枚）の合成用画像の選択が指示されたか否かを判定する。ステップＳ５２で所定枚数の合成用画像の選択が指示されていないと判定された場合、撮影処理部２０１は、所定枚数の合成用画像が選択されるまで待機する。
【０１８２】
一方、ステップＳ５２で所定枚数の合成用画像の選択が指示されたと判定された場合、撮影処理部２０１は、選択された合成用画像を撮影画像に合成させる指示である合成用画像合成指示を受け付け、処理をステップＳ５３に進める。
【０１８３】
ステップＳ５３において、撮影処理部２０１は、ステップＳ４２の処理と同様に、合成用画像合成指示に基づいて、選択された合成用画像のうち、まだ読み出されていない１枚の合成用画像を記憶部１０２から読み出す。ステップＳ５４において、撮影処理部２０１は、ステップＳ４３の処理と同様に、カメラ５１により取得され、ステップＳ５３で読み出された合成用画像と合成された利用者の動画像を、ライブビューモニタ５２にライブビュー画像として表示させる。
【０１８４】
ステップＳ５５において、撮影処理部２０１は、ステップＳ４４の処理と同様に、ライブビューモニタ５２にカウントダウンインジケータを表示させる。ステップＳ５６において、撮影処理部２０１は、ステップＳ４５の処理と同様に、ステップＳ３３およびＳ３９で設定されたパラメータ値にしたがってカメラ５１を制御し、ボーナス撮影としての撮影を行う。ステップＳ５７において、撮影処理部２０１は、ステップＳ５６の処理と同様に、ステップＳ５６でボーナス撮影された結果得られる撮影画像に、ステップＳ５３で読み出された合成用画像を合成する。
【０１８５】
ステップＳ５８において、撮影処理部２０１は、ステップＳ４７の処理と同様に、ステップＳ５７で合成用画像が合成された撮影画像を、ライブビューモニタ５２に表示させる。ステップＳ５９において、撮影処理部２０１は、ステップＳ４８の処理と同様に、撮影画像を所定枚数（本実施の形態では１枚)撮影したか否かを判定する。
【０１８６】
ステップＳ５９で撮影画像を所定枚数撮影していないと判定された場合、処理はステップＳ５３に戻り、以降の処理が繰り返される。ステップＳ５９で、撮影画像を所定枚数撮影したと判定された場合、ステップＳ６０において、撮影処理部２０１は、撮影処理が開始されてから制限時間が経過したか否かを判定する。
【０１８７】
ステップＳ６０で撮影処理が開始されてから制限時間が経過していないと判定された場合、処理はステップＳ５１に戻り、以降の処理が繰り返される。
【０１８８】
一方、ステップＳ６０で撮影処理が開始されてから制限時間が経過したと判定された場合、処理はステップＳ６１に進む。また、ステップＳ５０で撮影処理が開始されてからの時間が制限時間内ではないと判定された場合、ステップＳ５１乃至Ｓ６０の処理をスキップしてボーナス撮影を行わず、処理はステップＳ６１に進む。
【０１８９】
ステップＳ６１において、撮影処理部２０１は、ステップＳ４６およびＳ５７で合成用画像が合成された全ての撮影画像からなる撮影画像群を表示部１３３に表示させる。ステップＳ６２において、撮影処理部２０１は、編集対象画像の選択が指示されたか否かを判定する。タッチパネルモニタ５７において撮影画像群の中から所定枚数の撮影画像が編集対象画像としてまだ選択されておらず、ステップＳ６２で編集対象画像の選択が指示されていないと判定された場合、撮影処理部２０１は、所定枚数の撮影画像が選択されるまで待機する。
【０１９０】
タッチパネルモニタ５７において撮影画像群の中から所定枚数の撮影画像が編集対象画像として選択され、ステップＳ６２で編集対象画像の選択が指示されたと判定された場合、処理はステップＳ６３に進む。ステップＳ６３において、撮影処理部２０１は、利用者により選択が指示された編集対象画像を保存し、撮影処理を終了する。
【０１９１】
次に、図１５のフローチャートを参照して、図１０のステップＳ４において実行される編集処理の詳細な流れの例を説明する。なお、この編集処理は、実際には、第１編集空間２２Ａまたは第２編集空間２２Ｂのうち、図１０のフローチャートに対応する写真シール作成ゲームをプレイする利用者が移動した方の編集空間に対して実行されるが、いずれの編集空間に対する場合も同様の処理が実行されるので、以下においては説明の簡略化のため、利用者が第１編集空間２２Ａに移動したか第２編集空間２２Ｂに移動したかを特に明言せずに、編集空間２２に移動したものとして説明する。
【０１９２】
編集処理が開始されると、編集処理部２０２は、ステップＳ７１において、撮影部１１１において得られた撮影画像の中から落書き編集の対象とする撮影画像として選択された編集対象画像を取得する。編集処理部２０２は、ステップＳ７２において、編集空間２２の編集用モニタ１４１に、通常写真シールにおける印刷画像のレイアウトパターンを選択するためのレイアウト選択画面を表示させ、移動してきた利用者に対し、レイアウトパターンを選択させる。
【０１９３】
上述したように、印刷処理部２０３は、編集作業により得られた編集済み画像を印刷画像としてシール紙に印刷する印刷処理を行う。編集処理部２０２は、このときにどのように印刷画像をレイアウトするかを、利用者に対し、予め用意されたレイアウトパターンの中から選択させる。なお、通常写真シール用のレイアウトパターンでは、写真シール内に縁のない編集済み画像が４つ以上配置される。即ち、印刷処理では、シール紙の印刷画像を印刷する領域を４分割以上（４分割、８分割、１２分割等）し、その分割された各領域に縁のない編集済み画像が印刷される。
【０１９４】
ステップＳ７３において、編集処理部２０２は、レイアウト選択画面において利用者によりレイアウトパターンが選択されたか否かを判定する。ステップＳ７３で利用者によりレイアウトパターンがまだ選択されていないと判定された場合、編集処理部２０２は、利用者によりレイアウトパターンが選択されるまで待機する。
【０１９５】
一方、ステップＳ７３で利用者によりレイアウトパターンが選択されたと判定された場合、編集処理部２０２は、ステップＳ７４において、編集用モニタ１４１に編集開始ボタンのGUI画像を表示する。利用者は、タッチペン６３を操作して、その編集開始ボタンを押下操作する。編集開始ボタンが押下操作されると、編集用モニタ１４１に編集画面が表示されるので、利用者は落書き編集作業を開始することができる。
【０１９６】
編集処理部２０２は、ステップＳ７５において、タブレット内蔵モニタ６２から供給される入力信号に基づいて、その編集開始ボタンが利用者により操作されたか否かを判定し、操作されたと判定するまで待機する。編集開始ボタンが操作されたと判定された場合、編集処理部２０２は、処理をステップＳ７６に進め、編集用モニタ１４１に編集画面を表示させる。
【０１９７】
次に、編集処理部２０２は、ステップＳ７７において、編集部１１２のタブレット１４２やタッチペン６３を制御し、利用者による編集画面に対する落書き編集入力の受け付けを開始する。
【０１９８】
編集処理部２０２は、ステップＳ７８において、タブレット内蔵モニタ６２より供給される入力信号（即ち、タッチペン６３およびタブレット１４２により受け付けられた位置情報）に基づいて、利用者による指示が入力された（GUIに対する操作が行われた）か否かを判定する。利用者等によりタッチペン６３が操作され、編集用モニタ１４１に表示された編集画面に対して、タブレット１４２に位置情報が入力されたと判定された場合、即ち、ステップＳ７８で利用者による指示が入力されたと判定された場合、編集処理部２０２は、処理をステップＳ７９に進め、入力座標に基づいて入力された指示内容を把握し、その指示内容に応じて編集画面に表示される編集画像を更新する。
【０１９９】
例えば、利用者が、タッチペン６３を操作して編集画面内に表示されている所望のスタンプを選択し、その後、編集画面内の編集画像の所望の位置でタッチペン６３をタブレット１４２にタップすると、編集処理部２０２は、利用者による編集画像の所望の位置へのスタンプ画像の貼り付けの指示が入力されたと判定し、その指示内容に応じて、編集画像にスタンプ画像を貼り付ける。
【０２００】
このような指示内容に応じた編集画像の更新が終了すると、編集処理部２０２は、処理をステップＳ８０に進める。なお、ステップＳ７８において指示が入力されていないと判定された場合、編集処理部２０２は、ステップＳ７９の処理を省略し、ステップＳ８０に処理を進める。
【０２０１】
ステップＳ８０において、編集処理部２０２は、所定の時間（制限時間）が経過したか、または、編集画面に表示される終了ボタンが操作されたか否かを判定し、制限時間にも達しておらず、終了ボタンも操作されていないと判定した場合、編集処理部２０２は、処理をステップＳ７８に戻し、それ以降の処理を繰り返す。つまり、編集処理部２０２は、所定の時間が経過した、または、終了ボタンが操作されたと判定されるまで、ステップＳ７８乃至ステップＳ８０の処理を繰り返し、落書き編集入力に対する処理を行う。
【０２０２】
一方、ステップＳ８０において、所定の時間が経過した、または、終了ボタンが操作されたと判定した場合、編集処理部２０２は、処理をステップＳ８１に進める。ステップＳ８１において、編集処理部２０２は、落書き編集が行われた編集済み画像を、印刷処理における印刷画像として保存する。なお、この「保存する」とは、単に編集済み画像を印刷処理に提供することを示すものであり、実際に、データを、RAM１０７や記憶部１０２に保存するかしないかは任意である。
【０２０３】
ステップＳ８２において、編集処理部２０２は、編集画面の表示を終了し、落書き編集入力の受け付けを終了する。編集処理部２０２は、ステップＳ８２の処理を終了すると、編集処理を終了し、処理を図１０のステップＳ４に戻す。そして、ステップＳ５以降の処理が行われる。
【０２０４】
次に、追加印刷作業の様子を、図１６乃至図２２を参照して説明する。
【０２０５】
利用者が追加印刷用の代金を追加硬貨投入返却部６５に投入すると、まず最初に、図１６に示すレイアウト種類選択画面３００が編集用モニタ１４１に表示される。このレイアウト種類選択画面３００は、「記念日サイズ？それともいつものサイズ？」というレイアウトパターンの種類の選択を促すメッセージ、記念日サイズ部３０１、および、通常サイズ部３０２により構成される。
【０２０６】
記念日サイズ部３０１は、追加印刷画像のサイズが記念日サイズ（詳細は後述する）となるレイアウトパターンを表示させるときに操作される。また、通常サイズ部３０２は、追加印刷画像のサイズが通常サイズとなるレイアウトパターンを表示させるときに操作される。
【０２０７】
なお、記念日サイズとは、写真シールの印刷画像を印刷する領域を１分割または２分割したときの分割された領域のサイズである。即ち、記念日サイズで追加印刷画像が印刷される場合、追加写真シールには１つまたは２つの追加印刷画像が印刷される。また、通常サイズとは、通常写真シール用のレイアウトパターンにおける印刷画像のサイズである。
【０２０８】
図１６のレイアウト種類選択画面３００において、利用者がタッチペン６３を用いて記念日サイズ部３０１を選択すると、編集用モニタ１４１には、図１７に示すレイアウト選択画面３１０が表示される。このレイアウト選択画面３１０は、主に、「１分割サイズｏｒ２分割サイズ？」というレイアウトパターンの選択を促すメッセージ、１分割選択部３１１、および２分割選択部３１２により構成される。
【０２０９】
１分割選択部３１１は、追加写真シールの追加印刷画像を印刷する領域全体に追加印刷画像を配置させるレイアウトパターン(以下、１分割パターンという)を選択するときに操作される。２分割選択部３１２は、追加写真シールの追加印刷画像を印刷する領域に２枚の追加印刷画像を配置させるレイアウトパターン（以下、２分割パターンという）を選択するときに操作される。
【０２１０】
図１７のレイアウト選択画面３１０において、利用者がタッチペン６３を用いて１分割選択部３１１を選択すると、編集用モニタ１４１には、図１８に示す構成の追加印刷画像選択画面３２０が表示される。但し、このときは、利用者によりまだ追加印刷画像が選択されていないので、後述する追加印刷画像表示部３２１と縁選択部３２２には何も表示されない。
【０２１１】
図１８の追加印刷画像選択画面３２０は、主に、「大きくする画像を選んでね！ふちの色も選べるよ！」という追加印刷画像の選択を促すメッセージ、追加印刷画像表示部３２１、縁選択部３２２、決定ボタン３２３、編集済み画像表示部３２４、および撮影画像表示部３２５により構成される。
【０２１２】
追加印刷画像表示部３２１には、利用者により選択された追加印刷画像が表示される。縁選択部３２２は、縁なしボタン３２２Ａと色選択部３２２Ｂにより構成され、追加印刷画像に合成する縁画像に関する指示を行うときに操作される。縁なしボタン３２２Ａは、追加印刷画像に縁画像を合成しないときに選択される。色選択部３２２Ｂには、追加印刷画像に合成されている合成用画像(以下、印刷合成用画像という)に応じてサンプル画像が表示される。利用者は、縁画像の色として所望の色のサンプル画像を、タッチペン６３を用いて選択することにより、追加印刷画像に合成する縁画像の色を選択することができる。なお、色選択部３２２Ｂにおけるサンプル画像の表示方法については、図１９と図２０を参照して後述する。
【０２１３】
決定ボタン３２３は、追加印刷画像表示部３２１に表示されている縁画像が合成された追加印刷画像または縁画像が合成されていない追加印刷画像の追加印刷を指示するときに選択される。編集済み画像表示部３２４には、編集作業により得られた編集済み画像が表示され、撮影画像表示部３２５には、撮影作業により得られた撮影画像が表示される。
【０２１４】
以上のような追加印刷画像選択画面３２０において、利用者が、編集済み画像表示部３２４に表示されている編集済み画像および撮影画像表示部３２５に表示されている撮影画像のうちの追加印刷画像として所望のものを、タッチペン６３を用いて選択すると、その追加印刷画像の印刷合成用画像に対応するデフォルトの色の縁画像が追加印刷画像に合成され、追加印刷画像表示部３２１に表示される。
【０２１５】
図１８の例では、編集済み画像表示部３２４に表示されている右から２番目の編集済み画像３３１が追加印刷画像として選択されており、その編集済み画像３３１の印刷合成用画像に対応するデフォルトの色の縁画像３３２が合成された編集済み画像３３１が追加印刷画像表示部３２１に表示されている。なお、各合成用画像に対応するデフォルトの色の情報は、デフォルト色情報として、記憶部１０２に予め記憶されている。
【０２１６】
また、利用者により追加印刷画像が選択されると、図１８に示すように、その追加印刷画像の印刷合成用画像に応じてサンプル画像が縁選択部３２２の色選択部３２２Ｂに表示されるとともに、縁なしボタン３２２Ａが縁選択部３２２に表示される。そして、利用者は、縁なしボタン３２２Ａを選択することにより、追加印刷画像に合成されている縁画像を消去したり、色選択部３２２Ｂに表示されているサンプル画像の中から所望の色のサンプル画像を選択することにより、追加印刷画像に合成されている縁画像の色を変更する。
【０２１７】
このように、利用者は縁画像の色を所望の色にすることができるので、追加印刷画像と、その追加印刷画像の縁の色に統一感のある追加写真シールを作成することができる。その結果、利用者は満足のいく追加写真シールを得ることができる。
【０２１８】
なお、写真シール作成装置１は、縁選択部３２２を追加印刷画像選択画面３２０に設けるのではなく、図１５の編集処理のステップＳ７２で表示されるレイアウト選択画面に設けることにより、利用者が編集作業中に縁画像の色の選択を行うことができるようにしてもよい。
【０２１９】
次に、図１９と図２０を参照して、縁選択部３２２におけるサンプル画像の表示方法について説明する。
【０２２０】
なお、写真シール作成装置１では、合成用画像ごとに、各サンプル画像の色に対して優先順位が予め決定されており、その優先順位がサンプル画像に対応付けて記憶部１０２に記憶されているものとする。この優先順位は、例えば、合成用画像の色合いと統一感のある色が、より上位となるように決定される。具体的には、例えば、各合成用画像の色調と同系色の色や濃淡を変えた色の優先順位が高くなるように決定される。
【０２２１】
図１９の縁選択部３２２では、図中上部に縁なしボタン３２２Ａが表示され、その縁なしボタン３２２Ａの下部に色選択部３２２Ｂが表示される。この色選択部３２２Ｂには、利用者により選択された追加印刷画像の印刷合成用画像における優先順位の上からＸ番目までの色のＸ個のサンプル画像が、優先順位の上のものから順に上から表示される。また、色選択部３２２Ｂの右隣には、各サンプル画像に対応して、そのサンプル画像の色に対する、印刷合成用画像における優先順位が表示される。さらに、色選択部３２２Ｂに表示される優先順位が１位の色のサンプル画像には、優先順位の１位を表す情報として「おすすめ」という文字が重畳表示される。
【０２２２】
以上のように、図１９の色選択部３２２Ｂでは、全てのサンプル画像または優先的な所定数のサンプル画像が表示されるのではなく、印刷合成用画像に対応するＸ個のサンプル画像が表示されるので、利用者は短時間で所望の色のサンプル画像を選択することができる。
【０２２３】
図２０の縁選択部３２２では、図１９の縁選択部３２２と同様に、図中上部に縁なしボタン３２２Ａが表示され、その縁なしボタン３２２Ａの下部に色選択部３２２Ｂが表示されるが、色選択部３２２Ｂには、記憶部１０２に記憶されている全てのサンプル画像または優先的な所定数のサンプル画像が所定の順に表示される。図１２の例では、記憶部１０２に１４枚のサンプル画像が記憶されており、色選択部３２２Ｂには、１４枚のサンプル画像が１列に７枚ずつ並べられている。なお、優先的な所定数のサンプル画像は、予め決定されていてもよいし、利用者による選択回数の履歴によって決定されるようにしてもよい。
【０２２４】
また、色選択部３２２Ｂにおいて、優先順位が１位の色のサンプル画像には、優先順位の１位を表す情報として「おすすめ」という文字が重畳表示される。なお、この優先順位は、追加印刷画像が変更され、印刷合成用画像が変更されるたびに変わる。従って、追加印刷画像が変更されると、「おすすめ」という文字が重畳表示されるサンプル画像も変更され、例えば、色選択部３２２Ｂは、図２０Ａに示す状態から図２０Ｂに示す状態になる。
【０２２５】
以上のように、図２０の色選択部３２２Ｂには、記憶部１０２に記憶されている全てのサンプル画像または優先的な所定数のサンプル画像が表示されるので、利用者は全てのサンプル画像または優先的な所定数のサンプル画像の色を縁画像の色とすることができ、その結果、個性的な追加写真シールを作成することができる。
【０２２６】
なお、図２０では、優先順位が１位の色のサンプル画像にのみ文字が重畳されたが、全てのサンプル画像または優先的な所定数のサンプル画像に優先順位を表す文字が重畳されるようにしてもよい。また、各サンプル画像の色に対する優先順位は、上述したように予め決定されていてもよいが、各合成用画像において利用者により各サンプル画像が選択された回数によって決定されるようにしてもよい。
【０２２７】
一方、図１７のレイアウト選択画面３１０において、利用者がタッチペン６３を用いて２分割選択部３１２を選択すると、追加写真シールに印刷される追加印刷画像は２枚になるため、編集用モニタ１４１には、各追加印刷画像用の追加印刷画像表示部と縁選択部が設けられた、図２１に示す追加印刷画像選択画面３４０が表示される。
【０２２８】
具体的には、追加印刷画像選択画面３４０には、１枚目の追加印刷画像の追加印刷画像表示部である追加印刷画像表示部３４１−１および２枚目の追加印刷画像の追加印刷画像表示部である追加印刷画像表示部３４１−２、並びに、１枚目の追加印刷画像の縁選択部である縁選択部３４２−１および２枚目の追加印刷画像の縁選択部である縁選択部３４２−２が設けられている。
【０２２９】
従って、利用者は縁選択部３４２−１と３４２−２を用いて、追加印刷画像ごとに、縁画像を消去したり、縁画像の色を変更したりすることができる。これにより、例えば、利用者が同一の編集済み画像または撮影画像を２枚の追加印刷画像として選択した場合であっても、各追加印刷画像の縁画像の色を互いに異なる色とすることにより、異なる雰囲気の２枚の追加印刷画像が印刷された追加写真シールを得ることができる。その結果、利用者の満足度は向上する。また、利用者は、各追加印刷画像の縁画像の色を互いに異なる色とすることにより、追加印刷画像ごとの追加写真シールの切り分けを容易に行うことができる。
【０２３０】
追加印刷画像選択画面３４０にはまた、追加印刷画像選択画面３２０と同様に、「大きくする画像を選んでね！ふちの色も選べるよ！」という追加印刷画像の選択を促すメッセージ、決定ボタン３２３、編集済み画像表示部３２４、および撮影画像表示部３２５が表示される。
【０２３１】
利用者は、追加印刷画像選択画面３４０において、例えば、追加印刷画像表示部３４１−１または３４１−２を選択してから、編集済み画像表示部３２４の編集済み画像または撮影画像表示部３２５の撮影画像を選択することにより、選択中の追加印刷画像表示部３４１に表示される追加印刷画像の追加印刷画像選択指示を入力する。
【０２３２】
なお、以下では、追加印刷画像表示部３４１−１および３４１−２を特に区別する必要がない場合、それらをまとめて追加印刷画像表示部３４１という。また、縁選択部３４２−１および３４２−２を特に区別する必要がない場合、それらをまとめて縁選択部３４２という。
【０２３３】
また、図２１の例では、各追加印刷画像用の縁選択部３４２が設けられたが、縁選択部３４２の表示方法として、図２０で説明した表示方法を採用した場合、図２２に示す構成の、全ての追加印刷画像に対して共通の縁選択部３５０を追加印刷画像選択画面３４０に表示させるようにしてもよい。
【０２３４】
図２２の縁選択部３５０では、図中上部に各追加印刷画像に共通の縁なしボタン３５０Ａが表示され、その縁なしボタン３５０Ａの下部に各追加印刷画像に共通の色選択部３５０Ｂが表示される。
【０２３５】
また、色選択部３５０Ｂ内の、追加印刷画像選択画面３４０の上部に設けられた追加印刷画像表示部３４１−１に表示される追加印刷画像に対応する、優先順位が１位の色のサンプル画像には、「上おすすめ」という文字が重畳される。また、色選択部３５０Ｂ内の、追加印刷画像選択画面３４０の下部に設けられた追加印刷画像表示部３４１−２に表示される追加印刷画像に対応する、優先順位が１位の色のサンプル画像には、「下おすすめ」という文字が重畳される。
【０２３６】
図２２の縁選択部３５０が選択された追加印刷画像選択画面３４０において、利用者は、例えば、追加印刷画像表示部３４１−１または３４１−２を選択してから、サンプル画像を選択することにより、選択中の追加印刷画像表示部３４１に表示されている追加印刷画像に対する縁画像合成指示を入力する。
【０２３７】
以上のように、各追加印刷画像に共通の縁選択部３５０が追加印刷画像選択画面３４０に表示される場合、縁選択部の表示領域が少なくて済むため、追加印刷画像表示部３４１、決定ボタン３２３、編集済み画像表示部３２４、撮影画像表示部３２５などのサイズを大きくすることができる。また、縁選択部３５０のサイズを大きくすることもできるので、縁選択部３５０に表示可能なサンプル画像の枚数が増加し、より多くのサンプル画像を用意して表示させることができる。その結果、利用者が縁画像の色として選択可能な色が多くなり、より面白みのある個性的な追加写真シールを提供することができる。
【０２３８】
次に、図２３のフローチャートを参照して、図１０のステップＳ９において、図９の追加印刷処理部２０４により実行される追加印刷処理の詳細な流れの例を説明する。
【０２３９】
利用者が追加印刷用の代金を追加硬貨投入返却部６５に投入すると、ステップＳ９１において、シールレイアウト表示制御部２２２は、レイアウト種類選択画面３００（図１６）を編集用モニタ１４１に表示させる。ステップＳ９２において、シールレイアウト表示制御部２２２は、利用者により追加印刷画像のサイズとして記念日サイズが選択されたか否かを判定する。
【０２４０】
レイアウト種類選択画面３００において、利用者がタッチペン６３を用い記念日サイズ部３０１を選択し、ステップＳ９２で利用者により追加印刷画像のサイズとして記念日サイズが選択されたと判定された場合、処理はステップＳ９３に進む。
【０２４１】
ステップＳ９３において、シールレイアウト表示制御部２２２は、記念部サイズのレイアウト選択画面３１０（図１７）を編集用モニタ１４１に表示させる。ステップＳ９４において、シールレイアウト表示制御部２２２は、利用者からのレイアウトパターンの選択指示を受け付けたか否かを判定する。
【０２４２】
レイアウト選択画面３１０において、利用者がタッチペン６３を用いて、１分割選択部３１１または２分割選択部３１２をまだ選択しておらず、ステップＳ９４でレイアウトパターンの選択指示を受け付けていないと判定された場合、シールレイアウト表示制御部２２２は、利用者により１分割選択部３１１または２分割選択部３１２が選択されるまで待機する。
【０２４３】
一方、利用者により１分割選択部３１１または２分割選択部３１２が選択され、ステップＳ９４でレイアウトパターンの選択指示を受け付けたと判定された場合、処理はステップＳ９５に進む。
【０２４４】
ステップＳ９５において、画像表示制御部２２３は、利用者により選択されたレイアウトパターンに応じて、追加印刷画像選択画面を編集用モニタ１４１に表示させる。具体的には、利用者により１分割選択部３１１が選択されたとき、即ち、１分割パターンが選択されたとき、画像表示制御部２２３は、追加印刷画像表示部３２１と縁選択部３２２に何も表示されていない追加印刷画像選択画面３２０（図１８）を表示させる。一方、利用者により２分割選択部３１２が選択されたとき、即ち、２分割パターンが選択されたとき、画像表示制御部２２３は、追加印刷画像表示部３４１と縁選択部３４２に何も表示されていない追加印刷画像選択画面３４０（図２１）を表示させる。
【０２４５】
ステップＳ９６において、画像選択指示受付部２２４は、利用者からの追加印刷画像選択指示を受け付けたか否かを判定する。追加印刷画像選択画面３２０（３４０）において、編集済み画像表示部３２４の編集済み画像および撮影画像表示部３２５の撮影画像のうち、追加写真シールに配置させる追加印刷画像の枚数分の画像(レイアウトパターンが１分割パターンである場合１枚分の画像、レイアウトパターンが２分割パターンである場合２枚分の画像)が追加印刷画像としてまだ選択されておらず、ステップＳ９６で追加印刷画像選択指示をまだ受け付けていないと判定された場合、画像選択指示受付部２２４は、編集済み画像表示部３２４の編集済み画像および撮影画像表示部３２５の撮影画像のうち、追加写真シールに配置させる追加印刷画像の枚数分の画像が追加印刷画像として選択されるまで待機する。
【０２４６】
一方、追加印刷画像選択画面３２０（３４０）において、利用者が編集済み画像表示部３２４の編集済み画像および撮影画像表示部３２５の撮影画像のうち、追加写真シールに配置させる追加印刷画像の枚数分の画像を追加印刷画像として選択し、ステップＳ９６で利用者からの追加印刷画像選択指示を受け付けたと判定された場合、処理はステップＳ９７に進む。なお、以降のステップＳ９７乃至Ｓ１０６の処理は、追加印刷画像ごとに行われる。
【０２４７】
ステップＳ９７において、サンプル画像表示制御部２２５は、印刷合成用画像に応じて、サンプル画像と優先順位を記憶部１０２から読み出す。ステップＳ９８において、縁画像合成部２２８は、記憶部１０２に記憶されている、印刷合成用画像に対応するデフォルト色情報に基づいて、そのデフォルト色情報が表すデフォルトの色の縁画像を、追加印刷画像に合成させる。
【０２４８】
ステップＳ９９において、サンプル画像表示制御部２２５は、ステップＳ９８で縁画像が合成された追加印刷画像を追加印刷画像表示部３２１（３４１）に表示させるとともに、ステップＳ９７で読み出されたサンプル画像を色選択部３２２Ｂ（３４２Ｂ,３５０Ｂ）に表示させる。
【０２４９】
ステップＳ１００において、合成指示受付部２２６は、縁画像合成指示を受け付けたか否かを判定する。色選択部３２２Ｂ（３４２Ｂ,３５０Ｂ）において、利用者によりサンプル画像が選択され、ステップＳ１００で縁画像合成指示を受け付けたと判定された場合、処理はステップＳ１０１に進む。
【０２５０】
ステップＳ１０１において、設定部２２７は、縁画像合成指示に応じて、その追加印刷画像に合成する縁画像の色を設定する。具体的には、利用者により選択されたサンプル画像の色が、縁画像の色として設定される。
【０２５１】
ステップＳ１０２において、縁画像合成部２２８は、設定部２２７により設定された色の縁画像を記憶部１０２から読み出して追加印刷画像に合成する。ステップＳ１０３において、画像表示制御部２２３は、ステップＳ１０２で縁画像が合成された追加印刷画像を追加印刷画像表示部に表示させ、処理をステップＳ１０７に進める。
【０２５２】
一方、色選択部３２２Ｂ（３４２Ｂ,３５０Ｂ）において、利用者によりサンプル画像が選択されず、ステップＳ１００で縁画像合成指示を受け付けていないと判定された場合、処理はステップＳ１０４に進む。ステップＳ１０４において、合成指示受付部２２６は、追加印刷画像選択画面３２０（３４０）において利用者により縁なしボタン３２２Ａ（３４２Ａ,３５０Ａ）が選択されたか否かを判定する。
【０２５３】
ステップＳ１０４で利用者により縁なしボタンが選択されたと判定された場合、ステップＳ１０５において、縁画像合成部２２８は、追加印刷画像に合成されている縁画像を消去する。次に、ステップＳ１０６において、画像表示制御部２２３は、ステップＳ１０５で縁画像が消去された結果得られる縁なしの追加印刷画像を追加印刷画像表示部３２１（３４１）に表示させ、処理をステップＳ１０７に進める。
【０２５４】
また、ステップＳ１０３で利用者により縁なしボタンが選択されていないと判定された場合、処理はステップＳ１０４乃至Ｓ１０６をスキップし、ステップＳ１０７に進む。ステップＳ１０７において、印刷指示受付部２２９は、追加印刷画像選択画面３２０（３４０）において利用者により決定ボタン３２３が選択されたか否かを判定する。ステップＳ１０７で利用者により決定ボタン３２３が操作されていないと判定された場合、ステップＳ１０８において、画像選択指示受付部２２４は、利用者により追加印刷画像の変更が指示されたか否かを判定する。
【０２５５】
利用者が、追加印刷画像選択画面３２０（３４０）において、編集済み画像表示部３２４の編集済み画像および撮影画像表示部３２５の撮影画像のうちのいずれかを、変更後の追加印刷画像として選択し、ステップＳ１０８で追加印刷画像の変更が指示されたと判定された場合、処理はステップＳ９７に戻り、以降の処理が繰り返される。
【０２５６】
一方、追加印刷画像選択画面３２０（３４０）において、編集済み画像表示部３２４の編集済み画像および撮影画像表示部３２５の撮影画像のうちのいずれも選択されず、ステップＳ１０８で追加印刷画像の変更が指示されていないと判定された場合、処理はステップＳ１００に戻り、以降の処理が繰り返される。
【０２５７】
また、ステップＳ１０７で利用者により決定ボタン３２３が選択されたと判定された場合、印刷指示受付部２２９は印刷指示を受け付け、処理はステップＳ１１１に進む。
【０２５８】
一方、レイアウト種類選択画面３００において、利用者がタッチペン６３を用い通常サイズ部３０２を選択し、ステップＳ９２で利用者により追加印刷画像のサイズとして記念日サイズが選択されていないと判定された場合、処理はステップＳ１０９に進む。ステップＳ１０９において、シールレイアウト表示制御部２２２は、通常サイズのレイアウト選択画面として、図１５の編集処理のステップＳ７２で表示されたレイアウト選択画面と同一のものを表示させる。
【０２５９】
ステップＳ１１０において、印刷指示受付部２２９は、ステップＳ１０９で表示されたレイアウト選択画面において、利用者からのレイアウトパターンの選択指示を受け付けたか否かを判定する。ステップＳ１１０でレイアウトパターンの選択指示がまだ受け付けられていないと判定された場合、利用者によりレイアウトパターンが選択されるまで待機する。一方、ステップＳ１１０で利用者によりレイアウトパターンの選択指示が受け付けられたと判定された場合、印刷指示受付部２２９は印刷指示を受け付け、処理をステップＳ１１１に進める。
【０２６０】
ステップＳ１１１において、印刷制御部２３０は、最後に追加印刷画像表示部３２１（３４１）に表示されていた縁画像が合成された追加印刷画像や、縁画像が合成されていない追加印刷画像を、利用者により選択された記念日サイズのレイアウトパターンで配置して印刷するための印刷データ、または、編集済み画像を利用者により選択された通常サイズのレイアウトパターンで配置して印刷するための印刷データを作成する。
【０２６１】
なお、このとき、印刷制御部２３０は、レイアウトパターンが１分割パターンである場合、縁画像が合成された追加印刷画像または縁画像が合成されていない追加印刷画像のサイズが、写真サイズ（例えば、Ｌ判サイズ）となるように印刷データを作成する。また、レイアウトパターンが２分割パターンである場合、印刷制御部２３０は、縁画像が合成された追加印刷画像または縁画像が合成されていない追加印刷画像のサイズが、小さい写真サイズ（例えば、カードサイズや名刺サイズ）となるように印刷データを作成する。
【０２６２】
即ち、追加印刷画像に縁画像が合成されていない場合、追加印刷画像のサイズは写真サイズまたは小さい写真サイズとなり、追加印刷画像に縁画像が合成されている場合、追加印刷画像のサイズは写真サイズまたは小さい写真サイズより小さいサイズとなる。
【０２６３】
以上のように、レイアウトパターンが１分割パターンである場合、縁画像が合成された追加印刷画像または縁画像が合成されていない追加印刷画像のサイズが写真サイズとなるので、利用者は写真と同サイズの大きい追加写真シールを得ることができ、その追加写真シールを写真用アルバムに記念写真として長く保存することが可能となる。
【０２６４】
また、レイアウトパターンが２分割パターンである場合、縁画像が合成された追加印刷画像または縁画像が合成されていない追加印刷画像のサイズが小さい写真サイズとなるので、利用者は、その追加写真シールを、小さい写真サイズ専用のアルバム、名刺入れやカード入れなどに手軽に保存することができる。
【０２６５】
ステップＳ１１２において、印刷制御部２３０は、その印刷データをプリンタ１１３に供給して、シール紙への追加印刷画像の印刷を行わせる。そして、追加印刷処理は終了し、処理は図１０のステップＳ９に戻って、ステップＳ１０以降の処理が行われる。
【０２６６】
次に、図２４は、図８の追加印刷処理部２０４の追加写真シール作成機能に関する、さらに詳細な他の構成例を示す機能ブロック図である。
【０２６７】
図２４の追加印刷処理部２０４は、図９の追加印刷処理部２０４の合成指示受付部２２６を削除し、設定部２２７の代わりに設定部３７１を設けることにより構成される。そして、図２４の追加印刷処理部２０４では、合成用画像ごとに用意されている所定の色の縁画像が、その合成用画像が合成された追加印刷画像に合成される。
【０２６８】
具体的には、記憶部１０２には、合成用画像に対応して、その合成用画像と統一感のある色の縁画像が予め記憶されている。そして、設定部３７１は、追加印刷画像ごとに、追加印刷画像選択指示に応じて、その追加印刷画像の印刷合成用画像に対応して記憶部１０２に記憶されている縁画像の色を、追加印刷画像に合成する縁画像の色として設定する。
【０２６９】
以上のように、図２４の追加印刷処理部２０４では、印刷合成用画像と統一感のある色の縁画像が自動的に追加印刷画像に合成されるので、利用者は縁画像の色を選択する必要がなく、より短時間で、追加印刷画像と、その追加印刷画像の縁の色に統一感のある追加写真シールを作成することができる。
【０２７０】
次に、図２５のフローチャートを参照して、図１０のステップＳ９において、図２４の追加印刷処理部２０４により実行される追加印刷処理の詳細な流れの例を説明する。
【０２７１】
ステップＳ１３１乃至Ｓ１３４の処理は、図２３のステップＳ９１乃至Ｓ９４の処理と同一であるので説明は省略する。ステップＳ１３５において、画像表示制御部２２３は、利用者により選択されたレイアウトパターンに応じて、追加印刷画像選択画面を編集用モニタ１４１に表示させる。ここで表示される追加印刷画像選択画面は、図１８の追加印刷画像選択画面３２０の縁選択部３２２のないもの、または、図２１の追加印刷画像選択画面３４０の縁選択部３４２のないものである。
【０２７２】
ステップＳ１３６において、画像選択指示受付部２２４は、図２３のステップＳ９６と同様に、利用者からの追加印刷画像選択指示を受け付けたか否かを判定する。ステップＳ１３６で追加印刷画像選択指示がまだ受け付けられていないと判定された場合、画像選択指示受付部２２４は、編集済み画像表示部３２４の編集済み画像および撮影画像表示部３２５の撮影画像のうち、追加写真シールに配置させる追加印刷画像の枚数分の画像が追加印刷画像として選択されるまで待機する。
【０２７３】
一方、ステップＳ１３６で利用者からの追加印刷画像選択指示が受け付けられたと判定された場合、処理はステップＳ１３７に進む。ステップＳ１３７において、設定部３７１は、追加印刷画像の印刷合成用画像に対応して記憶部１０２に記憶されている縁画像の色を、追加印刷画像に合成する縁画像の色として設定する。そして、処理はステップＳ１３８に進む。
【０２７４】
ステップＳ１３８乃至Ｓ１４５の処理は、図２３のステップＳ１０２，Ｓ１０３、およびＳ１０７乃至Ｓ１１２の処理と同様であるので、説明は省略する。
【０２７５】
なお、写真シール作成装置１は、ステップＳ１３５で表示される追加印刷画像選択画面に縁なしボタンを設け、利用者が、その縁なしボタンを操作することにより、縁なしの追加印刷画像が追加写真シールに印刷されるようにしてもよい。
【０２７６】
また、追加印刷画像に縁画像が合成される場合、図２６乃至図３０に示すように、撮影に関する撮影情報としての撮影日を縁画像の印刷領域に印字するようにしてもよい。なお、図２６乃至図３０の例では、追加印刷画像を正常な向きにしたときの下側の縁画像の右側に撮影日が印字されている。
【０２７７】
具体的には、図２６に示すように、レイアウトパターンが１分割パターンであり、追加写真シール４００の追加印刷画像が印刷される追加印刷画像領域４０１に横長の追加印刷画像４１１が、追加写真シール４００の図中下側を画像の正常な向きにおける左側とする向き(以下、横向きという)に印刷される場合、追加印刷画像領域４０１内の追加印刷画像４１１の図中右側の縁画像４１１Ａの図中上側に対応する位置４１１Ｂに撮影日が印字される。その結果、追加印刷画像４１１を正常な向きにしたときの下側の縁画像４１１Ａの右側の位置４１１Ｂに撮影日が印字される。
【０２７８】
一方、図２７に示すように、追加印刷画像領域４０１に縦長の追加印刷画像４１２が、追加写真シール４００の図中下側を画像の正常な向きにおける上側とする向き（以下、縦向きという）に印刷される場合、追加印刷画像領域４０１内の追加印刷画像４１２の図中上側の縁画像４１２Ａの図中左側に対応する位置４１２Ｂに撮影日が印字される。その結果、追加印刷画像４１２を正常な向きにしたときの下側の縁画像４１２Ａの右側の位置４１２Ｂに撮影日が印字される。
【０２７９】
また、図２８に示すように、レイアウトパターンが２分割パターンであり、追加写真シール４００の追加印刷画像領域４０１が２分割された各領域４２１−１および４２１−２に、横長の追加印刷画像４３１または４３２が縦向きに印刷される場合、領域４２１−１内の追加印刷画像４３１の図中上側の縁画像４３１Ａの図中左側に対応する位置４３１Ｂおよび領域４２１−２内の追加印刷画像４３２の図中上側の縁画像４３２Ａの図中左側に対応する位置４３２Ｂに撮影日が印字される。その結果、追加印刷画像４３１および４３２を正常な向きにしたときの下側の縁画像４３１Ａおよび４３２Ａの右側の位置４３１Ｂおよび４３２Ｂに撮影日が印字される。
【０２８０】
一方、図２９に示すように、図２８の領域４２１−２に縦長の追加印刷画像４３３が横向きに印刷される場合、領域４２１−２内の撮影日の印字位置は、追加印刷画像４３３の図中右側の縁画像４３３Ａの図中上側に対応する位置４３３Ｂとなる。その結果、追加印刷画像４３３を正常な向きにしたときの下側の縁画像４３３Ａの右側の位置４３３Ｂに撮影日が印字される。
【０２８１】
さらに、図３０に示すように、図２９の領域４２１−１において、縦長の追加印刷画像４３４が横向きに印刷される場合、領域４２１−１内の撮影日の印字位置は、追加印刷画像４３４の図中右側の縁画像４３４Ａの図中下側に対応する位置４３４Ｂとなる。その結果、追加印刷画像４３４を正常な向きにしたときの下側の縁画像４３４Ａの右側の位置４３４Ｂに撮影日が印字される。
【０２８２】
なお、図２６乃至図３０では、追加写真シール４００の追加印刷画像領域４０１以外の図中上側の余白領域４０２に、追加印刷画像として選択されない編集済み画像がおまけ画像として印刷されている。
【０２８３】
以上のように、追加印刷画像の印刷向きが横向きであるか、縦向きであるかによって、追加印刷画像領域内の撮影日の印字位置が変更されるので、追加印刷画像の印刷向きが横向きであるか、縦向きであるかによらず、追加印刷画像を正常な向きにしたときの下側の縁画像の右側に撮影日を印字することができる。また、追加印刷画像ごとに撮影日が印字されるので、追加写真シールを追加印刷画像ごとに切り分けた場合であっても、その追加印刷画像がいつ撮影されたものであるかを把握することができる。
【０２８４】
なお、追加印刷画像の印刷向きが横向きであるか、縦向きであるかによって、撮影日の文字色や文字種、撮影日の印字領域の色などを変更させるようにしてもよい。また、これらを印刷合成用画像に応じて変更させるようにしてもよい。この場合、追加印刷画像と撮影日の印字にも統一感のある追加写真シールを作成することができる。その結果、利用者に、より満足のいく追加写真シールを提供することができる。
【０２８５】
また、図３１に示すように、余白領域４０２内のおまけ画像付近に、撮影日が印字される日付印字領域を設けるようにしてもよい。なお、図３１では、説明の便宜上、図２６中右側が、図３１中下側になるように示している。
【０２８６】
図３１の例では、おまけ画像の図中右側部に日付印字領域４４１が設けられている。そして、日付印字領域４４１には、各おまけ画像に対応して撮影日が印字されている。なお、おまけ画像の印刷向きが横向きであるか、縦向きであるかによって、撮影日の表示方法（図３１の例では、文字列の向き）が変更されている。具体的には、おまけ画像の印刷向きが横向きである場合(おまけ画像の正常な向きにおける左側が図３１中左側である場合)、撮影日の文字列が年、月、日ごとに２桁で縦書きされ、おまけ画像の印刷向きが縦向きである場合（おまけ画像の正常な向きにおける上側が図３１中左側である場合）、撮影日の文字列が年、月、日ごとに２桁で横書きされる。
【０２８７】
なお、上述した説明では、合成用画像ごとに縁画像の色や優先順位が設定されていたが、色味ジャンルごとに縁画像の色や優先順位が設定されているようにしてもよい。
【０２８８】
また、上述した説明では、追加印刷画像のサイズが記念日サイズである場合に、追加印刷画像に縁画像が合成されたが、追加印刷画像のサイズが通常サイズである場合にも、追加印刷画像に縁画像が合成されるようにしてもよい。
【０２８９】
さらに、上述した説明では、１枚の追加写真シールが作成されるようにしたが、複数枚の追加写真シールが作成されるようにしてもよい。この場合、例えば、２人の利用者が一緒に写真シール作成装置１で写真シール作成ゲームを行っている場合、レイアウトパターンが１分割パターンであっても、２枚の追加写真シールを作成させることにより、２人の利用者が１枚ずつ追加写真シールを得ることができる。これにより、全ての利用者を満足させることができる。
【０２９０】
また、複数枚の追加写真シールが作成される場合、同一の追加写真シールを複数枚作成するようにしてもよいし、１枚の追加写真シールごとに追加印刷画像を選択させ、縁画像合成指示を受け付けるようにしてもよい。同一の追加写真シールを複数枚作成する場合、利用者は同一の追加写真シールを共に保存することができ、１枚の追加写真シールごとに追加印刷画像を選択させ、縁画像合成指示を受け付ける場合、利用者は、１人ずつ気に入った追加印刷画像の追加写真シールを作成することができる。
【０２９１】
さらに、上述した説明では、縁画像が単色の画像であるものとして説明したが、縁画像がグラデーションや柄のある画像である場合においても同様に、上述した各種の処理において色をグラデーションや柄に置き換えた処理が行われ、印刷画像と、その印刷画像の縁のグラデーションや柄に統一感のある追加写真シールを作成することができる。
【０２９２】
以上のようにして、写真シール作成装置１は、作成された写真シールに対する利用者の満足度を向上させることにより、収益性を向上させることができる。
【０２９３】
上述した一連の処理は、ハードウェアにより実行させることもできるし、ソフトウェアにより実行させることもできる。上述した一連の処理をソフトウェアにより実行させる場合には、そのソフウェアを構成するプログラムが、ネットワークや記録媒体からインストールされる。
【０２９４】
この記録媒体は、例えば、図７に示すように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア１０５により構成されるだけでなく、装置本体に予め組み込まれた状態で管理者に配信される、プログラムが記録されているROM１０６や、記憶部１０２に含まれるハードディスクなどで構成される。
【０２９５】
なお、本明細書において、記録媒体に記録されるプログラムを記述するステップは、記載された順序に沿って時系列的に行われる処理は勿論、必ずしも時系列的に処理されなくとも、並列的あるいは個別に実行される処理をも含むものである。
【０２９６】
以上において、印刷媒体は、シール紙に限られるものではなく、例えば、所定のサイズの紙や、ポスター用の紙、テレホンカードなどのカード、あるいは、Ｔシャツなどの布地などに印刷するようにしてもよい。
【０２９７】
また、本明細書において、システムとは、複数の装置により構成される装置全体を表すものである。なお、以上において、１つの装置として説明した構成を分割し、複数の装置として構成するようにしてもよい。逆に、以上において複数の装置として説明した構成をまとめて１つの装置として構成されるようにしてもよい。また、各装置の構成に上述した以外の構成を付加するようにしても勿論よい。さらに、システム全体としての構成や動作が実質的に同じであれば、ある装置の構成の一部を他の装置の構成に含めるようにしてもよい。
【図面の簡単な説明】
【０２９８】
【図１】本発明を適用した写真シール作成装置の一実施の形態の例を示す斜視図である。
【図２】図１の写真シール作成装置の他の角度からの斜視図である。
【図３】利用者の空間移動を説明する図である。
【図４】前方ユニットの正面の構成例を示す図である。
【図５】編集ユニットの側面の構成例を示す図である。
【図６】編集ユニットの他の側面の構成例を示す図である。
【図７】写真シール作成装置の内部の構成例を示すブロック図である。
【図８】制御装置の詳細な構成例を示す機能ブロック図である。
【図９】追加印刷処理部の詳細な構成例を示す機能ブロック図である。
【図１０】写真シール作成ゲーム処理の流れの例を説明するフローチャートである。
【図１１】追加印刷の案内画面の例を示す図である。
【図１２】撮影処理の流れの例を説明するフローチャートである。
【図１３】撮影処理の流れの例を説明するフローチャートである。
【図１４】合成用画像選択画面の例を示す図である。
【図１５】編集処理の流れの例を説明するフローチャートである。
【図１６】レイアウト種類選択画面の例を示す図である。
【図１７】レイアウト選択画面の例を示す図である。
【図１８】追加印刷画像選択画面の例を示す図である。
【図１９】サンプル画像の表示方法について説明する図である。
【図２０】サンプル画像の表示方法について説明する図である。
【図２１】追加印刷画像選択画面の他の例を示す図である。
【図２２】縁選択部の他の例を示す図である。
【図２３】追加印刷処理の流れの例を説明するフローチャートである。
【図２４】他の追加印刷処理部の詳細な構成例を示す機能ブロック図である。
【図２５】他の追加印刷処理の流れの例を説明するフローチャートである。
【図２６】１分割パターンにおける撮影日の印字位置を示す図である。
【図２７】１分割パターンにおける撮影日の印字位置を示す図である。
【図２８】２分割パターンにおける撮影日の印字位置を示す図である。
【図２９】２分割パターンにおける撮影日の印字位置を示す図である。
【図３０】２分割パターンにおける撮影日の印字位置を示す図である。
【図３１】おまけ画像の撮影日の印字位置を示す図である。
【符号の説明】
【０２９９】
１  写真シール作成装置
１１  撮影ユニット
１２  編集ユニット
１０１  制御装置
１３３  表示部
１４１  編集用モニタ
２０１  撮影処理部
２０４  追加印刷処理部
２２３  画像表示制御部
２２４  画像選択指示受付部
２２５  サンプル画像表示制御部
２２６  合成指示受付部
２２７  設定部
２２８  縁画像合成部
【図１】
0005098777.tif 000002
【図２】
0005098777.tif 000003
【図３】
0005098777.tif 000004
【図４】
0005098777.tif 000005
【図５】
0005098777.tif 000006
【図６】
0005098777.tif 000007
【図７】
0005098777.tif 000008
【図８】
0005098777.tif 000009
【図９】
0005098777.tif 000010
【図１０】
0005098777.tif 000011
【図１１】
0005098777.tif 000012
【図１２】
0005098777.tif 000013
【図１３】
0005098777.tif 000014
【図１４】
0005098777.tif 000015
【図１５】
0005098777.tif 000016
【図１６】
0005098777.tif 000017
【図１７】
0005098777.tif 000018
【図１８】
0005098777.tif 000019
【図１９】
0005098777.tif 000020
【図２０】
0005098777.tif 000021
【図２１】
0005098777.tif 000022
【図２２】
0005098777.tif 000023
【図２３】
0005098777.tif 000024
【図２４】
0005098777.tif 000025
【図２５】
0005098777.tif 000026
【図２６】
0005098777.tif 000027
【図２７】
0005098777.tif 000028
【図２８】
0005098777.tif 000029
【図２９】
0005098777.tif 000030
【図３０】
0005098777.tif 000031
【図３１】
0005098777.tif 000032